(57)【特許請求の範囲】
【請求項１】
ネットワークデバイスにより、ユーザ機器（UE）によって当該UEのアクセス状況に応じて送信された識別情報を受信するステップと、
前記ネットワークデバイスにより、前記識別情報に従って第1のアクセスネットワーク識別子を前記UEに割り当てるステップと、
前記ネットワークデバイスにより、前記第1のアクセスネットワーク識別子を前記UEに送信するステップと、
前記ネットワークデバイスにより、前記第1のアクセスネットワーク識別子に従って前記UEにリソースを割り当てるステップと
を有する方法。
【請求項２】
ネットワークデバイスにより、ユーザ機器（UE）によって当該UEのアクセス状況に応じて送信された識別情報を受信する前記ステップは、
前記ネットワークデバイスにより、アップリンクチャネルリソースを用いて前記UEによって前記アクセス状況に応じて送信された前記識別情報を受信するステップを含む、請求項1に記載の方法。
【請求項３】
前記アップリンクチャネルリソースは、ランダムアクセスのために使用される時間‐周波数リソースを含む、請求項2に記載の方法。
【請求項４】
前記ネットワークデバイスにより、前記アップリンクチャネルリソースを用いて前記UEによって送信されたバッファステータスレポート（BSR）情報を受信するステップであって、前記BSR情報は、前記UEの送信予定データのサイズを含む、ステップをさらに有し、
それに対応して、前記ネットワークデバイスにより、前記識別情報に従って第1のアクセスネットワーク識別子を前記UEに割り当てる前記ステップは、
前記ネットワークデバイスにより、前記識別情報及び前記BSR情報に従って前記第1のアクセスネットワーク識別子を前記UEに割り当てるステップを含む、請求項2又は3に記載の方法。
【請求項５】
前記ネットワークデバイスにより、前記アップリンクチャネルリソースを用いて前記UEによって送信された接続確立原因情報を受信するステップをさらに有する、請求項2から4のいずれか一項に記載の方法。
【請求項６】
ランダムアクセス方法であって、
ユーザ機器（UE）により、当該UEのアクセス状況に応じて識別情報をネットワークデバイスに送信するステップと、
前記UEにより、前記ネットワークデバイスによって送信された第1のアクセスネットワーク識別子を受信するステップであって、前記第1のアクセスネットワーク識別子は、前記識別情報に従って前記ネットワークデバイスによって前記UEに割り当てられたアクセスネットワーク識別子であり、前記第1のアクセスネットワーク識別子は、前記ネットワークデバイスが前記UEにリソースを割り当てるために使用される、ステップと
を有する方法。
【請求項７】
UEにより、当該UEのアクセス状況に応じて識別情報をネットワークデバイスに送信する前記ステップは、
前記UEにより、アップリンクチャネルリソースを用いて前記アクセス状況に応じて前記識別情報を前記ネットワークデバイスに送信するステップを含む、請求項6に記載の方法。
【請求項８】
前記アップリンクチャネルリソースは、ランダムアクセスのために使用される時間‐周波数リソースを含む、請求項7に記載の方法。
【請求項９】
前記UEにより、前記アップリンクチャネルリソースを用いてバッファステータスレポート（BSR）情報を前記ネットワークデバイスに送信するステップであって、前記BSR情報は、前記ネットワークデバイスが前記識別情報を参照して前記第1のアクセスネットワーク識別子を前記UEに割り当てるために使用され、前記BSR情報は、前記UEの送信予定データのサイズを含む、ステップをさらに有する、請求項7又は8に記載の方法。
【請求項１０】
前記UEにより、前記アップリンクチャネルリソースを用いて接続確立原因情報を前記ネットワークデバイスに送信するステップをさらに有する、請求項7から9のいずれか一項に記載の方法。
【請求項１１】
受信機と、プロセッサと、送信機とを備え、前記受信機と、前記プロセッサと、前記送信機とは連続的に接続され、
前記受信機は、ユーザ機器（UE）によって当該UEのアクセス状況に応じて送信された識別情報を受信し、前記識別情報を前記プロセッサに送信するように構成され、
前記プロセッサは、前記識別情報に従って第1のアクセスネットワーク識別子を前記UEに割り当て、前記第1のアクセスネットワーク識別子を前記送信機に送信するように構成され、
前記送信機は、前記第1のアクセスネットワーク識別子を前記UEに送信するように構成され、
前記プロセッサは、前記第1のアクセスネットワーク識別子に従って前記UEにリソースを割り当てるようにさらに構成されている、ネットワークデバイス。
【請求項１２】
前記受信機は、アップリンクチャネルリソースを用いて前記UEによって前記アクセス状況に応じて送信された前記識別情報を受信するようにさらに構成されている、請求項11に記載のネットワークデバイス。
【請求項１３】
前記アップリンクチャネルリソースは、ランダムアクセスのために使用される時間‐周波数リソースを含む、請求項12に記載のネットワークデバイス。
【請求項１４】
前記受信機は、前記アップリンクチャネルリソースを用いて前記UEによって送信されたバッファステータスレポート（BSR）情報を受信し、前記BSR情報を前記プロセッサに送信するようにさらに構成され、前記BSR情報は、前記UEの送信予定データのサイズを含み、
それに対応して、前記プロセッサは、前記識別情報及び前記BSR情報に従って前記第1のアクセスネットワーク識別子を前記UEに割り当てるようにさらに構成されている、請求項12又は13に記載のネットワークデバイス。
【請求項１５】
前記受信機は、前記アップリンクチャネルリソースを用いて前記UEによって送信された接続確立原因情報を受信するようにさらに構成されている、請求項12から14のいずれか一項に記載のネットワークデバイス。
【請求項１６】
受信機と、プロセッサと、送信機とを備え、前記受信機と、前記プロセッサと、前記送信機とは連続的に接続され、
前記送信機は、ユーザ機器（UE）のアクセス状況に応じて識別情報をネットワークデバイスに送信するように構成され、
前記受信機は、前記ネットワークデバイスによって送信された第1のアクセスネットワーク識別子を受信するように構成され、前記第1のアクセスネットワーク識別子は、前記識別情報に従って前記ネットワークデバイスによって前記UEに割り当てられたアクセスネットワーク識別子であり、前記第1のアクセスネットワーク識別子は、前記ネットワークデバイスが前記UEにリソースを割り当てるために使用される、UE。
【請求項１７】
前記送信機は、アップリンクチャネルリソースを用いて前記アクセス状況に応じて前記識別情報を前記ネットワークデバイスに送信するようにさらに構成されている、請求項16に記載のUE。
【請求項１８】
前記アップリンクチャネルリソースは、ランダムアクセスのために使用される時間‐周波数リソースを含む、請求項17に記載のUE。
【請求項１９】
前記送信機は、前記アップリンクチャネルリソースを用いてバッファステータスレポート（BSR）情報を前記ネットワークデバイスに送信するようにさらに構成され、前記BSR情報は、前記ネットワークデバイスが前記識別情報を参照して前記第1のアクセスネットワーク識別子を前記UEに割り当てるために使用され、前記BSR情報は、前記UEの送信予定データのサイズを含む、請求項17又は18に記載のUE。
【請求項２０】
前記送信機は、前記アップリンクチャネルリソースを用いて接続確立原因情報を前記ネットワークデバイスに送信するようにさらに構成されている、請求項17から19のいずれか一項に記載のUE。
【請求項２１】
前記アクセス状況は、第2のアクセスネットワーク識別子が前記UEに既に割り当てられている状況を含み、
前記識別情報は、前記第2のアクセスネットワーク識別子を含み、
前記ネットワークデバイスにより、前記識別情報に従って第1のアクセスネットワーク識別子を前記UEに割り当てる前記ステップは、
前記ネットワークデバイスにより、前記第2のアクセスネットワーク識別子が使用されているかどうかを判定するステップと、
前記第2のアクセスネットワーク識別子が使用されている場合、前記ネットワークデバイスにより、前記第1のアクセスネットワーク識別子を前記UEに割り当てるステップと
を含む、請求項1に記載の方法。
【請求項２２】
前記アクセスネットワーク識別子がセル無線ネットワーク一時識別子（C-RNTI）を含む、請求項21に記載の方法。
【発明の詳細な説明】
【技術分野】
【０００１】
本発明の実施形態は、通信技術に関し、特に、ランダムアクセス方法、ネットワークデバイス及びユーザ機器に関する。
【背景技術】
【０００２】
無線通信システムにおいて、ネットワーク側デバイスとデータをやりとりする前に、端末は、ランダムアクセス（Random Access、RA）処理を用いてネットワーク側デバイスと無線接続を確立する必要があるため、端末とネットワーク側デバイスとは接続された状態であり、その後、端末はネットワーク側デバイスとデータ通信接続を確立する。
【０００３】
先行技術において、端末は、そのほとんどがランダムアクセス処理を用いてプリアンブルシーケンス（preamble）方式でネットワーク側デバイスにアクセスする。実際、プリアンブルシーケンス方式は以下の通りである。ネットワーク側デバイスは、端末から送信されたプリアンブルシーケンスを受信した後、端末に応答メッセージをフィードバックし、端末は、応答メッセージを受信した後、ランダムアクセスメッセージ又はリソース要求メッセージをネットワーク側デバイスに送信し、その結果、ネットワーク側デバイスは端末に専用リソースを割り当てる。
【発明の概要】
【０００４】
しかしながら、プリアンブルシーケンスは、実際には、端末によって選択された特徴コードの複数回の繰り返しであるため、プリアンブルシーケンスは比較的大きなビット量を占める。したがって、プリアンブルシーケンス方式に基づくランダムアクセスには比較的多量のリソースが使用され、シグナリングオーバーヘッドが高い。
【０００５】
本発明の実施形態は、ランダムアクセスのために比較的多量のリソースが使用され、シグナリングオーバーヘッドが高いという既存の問題を解決するランダムアクセス方法、ネットワークデバイス及びユーザ機器を提供する。
【課題を解決するための手段】
【０００６】
第1の態様によれば、本発明の一実施形態は、ランダムアクセス方法を提供し、方法は、
ネットワークデバイスによって、アクセス状況に応じてユーザ機器UEによって送信された識別情報を受信するステップと、
ネットワークデバイスによって、識別情報に従って第1のアクセスネットワーク識別子をUEに割り当てるステップと、
ネットワークデバイスによって、第1のアクセスネットワーク識別子をUEに送信するステップと、
ネットワークデバイスによって、第1のアクセスネットワーク識別子に従ってUEにリソースを割り当てるステップとを含む。
【０００７】
第1の態様によれば、第1の態様の第1の可能な実装方法において、ネットワークデバイスによって、アクセス状況に応じてUEによって送信された識別情報を受信するステップは、
ネットワークデバイスによって、アップリンクチャネルリソースを用いてアクセス状況に応じてUEによって送信された識別情報を受信するステップを含む。
【０００８】
第1の態様の第1の可能な実装方法によれば、第2の可能な実装方法において、アップリンクチャネルリソースは、ランダムアクセスのために使用される時間‐周波数リソースを含む。
【０００９】
第1の態様の第1又は第2の可能な実装方法によれば、第3の可能な実装方法において、方法は、
ネットワークデバイスによって、アップリンクチャネルリソースを用いてUEによって送信されたバッファステータスレポートBSR情報を受信するステップであって、BSR情報はUEの送信予定データのサイズを含む、ステップをさらに含み、
それに応じて、ネットワークデバイスによって識別情報に従って第1のアクセスネットワーク識別子をUEに割り当てるステップは、
ネットワークデバイスによって、識別情報及びBSR情報に従って第1のアクセスネットワーク識別子をUEに割り当てるステップを含む。
【００１０】
第1の態様の第1から第3の可能な実装方法のいずれかによれば、第4の可能な実装方法において、方法は、
ネットワークデバイスによって、アップリンクチャネルリソースを用いてUEによって送信された接続確立原因情報を受信するステップをさらに含む。
【００１１】
第1の態様から第1の態様の第4の可能な実装方法のいずれかによれば、第5の可能な実装方法において、第1のアクセスネットワーク識別子は、セル無線ネットワーク一時識別子C-RNTIを含む。
【００１２】
第1の態様から第1の態様の第5の可能な実装方法のいずれかによれば、第6の可能な実装方法において、ネットワークデバイスによって第1のアクセスネットワーク識別子をUEに送信するステップは、
ネットワークデバイスによって、物理ダウンリンク共有チャネルPDSCHを用いて第1のアクセスネットワーク識別子及び識別情報をUEに送信するステップであって、識別情報は、UEがPDSCHからの第1のアクセスネットワーク識別子を判定するために使用される、ステップを含む。
【００１３】
第1の態様の第6の可能な実装方法によれば、第7の可能な実装方法において、方法は、
ネットワークデバイスによって、ダウンリンク制御情報DCIを用いてPDSCHのスケジューリング情報をUEに送信するステップであって、スケジューリング情報はUEに対応する時間‐周波数リソース位置を含み、UEに対応する時間‐周波数リソース位置は、UEが識別情報を参照してPDSCHからの第1のアクセスネットワーク識別子を判定するために使用される、ステップをさらに含む。
【００１４】
第1の態様から第1の態様の第7の可能な実装方法のいずれかによれば、第8の可能な実装方法において、アクセスネットワーク識別子又はコアネットワーク識別子がUEに割り当てられていない場合、又はUEに既に割り当てられている識別子が無効である場合、識別情報は、UEによって選択された乱数列を含む。
【００１５】
第1の態様から第1の態様の第7の可能な実装方法のいずれかによれば、第9の可能な実装方法において、UEがアイドル状態にあり、コアネットワーク識別子がUEに既に割り当てられている場合、識別情報は、UEのコアネットワーク識別子を含む。
【００１６】
第1の態様の第9の可能な実装方法によれば、第10の可能な実装方法では、UEのコアネットワーク識別子は、移動管理エンティティMMEによってUEに割り当てられた一時的なモバイル加入者識別情報を含む。
【００１７】
第1の態様から第1の態様の第5の可能な実装方法のいずれかによれば、第11の可能な実装方法において、第2のアクセスネットワーク識別子がUEに既に割り当てられている場合、識別情報は第2のアクセスネットワーク識別子を含み、第2のアクセスネットワーク識別子はC-RNTIであり、
ネットワークデバイスによって、識別情報に従って第1のアクセスネットワーク識別子をUEに割り当てる前に、方法は、
ネットワークデバイスによって、第2のアクセスネットワーク識別子が使用されているかどうかを判定するステップをさらに含み、
それに対応して、ネットワークデバイスによって識別情報に従って第1のアクセスネットワーク識別子をUEに割り当てるステップは、
第2のアクセスネットワーク識別子が使用されている場合、ネットワークデバイスによって第1のアクセスネットワーク識別子をUEに割り当てるステップを含む。
【００１８】
第1の態様の第11の可能な実装方法によれば、第12の可能な実装方法において、ネットワークデバイスによって第1のアクセスネットワーク識別子をUEに送信するステップは、
ネットワークデバイスによって、アップリンクチャネルリソースの時間‐周波数位置に対応するランダムアクセス無線ネットワーク一時識別子RA-RNTIを用いて、ダウンリンクチャネルリソースをスケジュールするステップと、ダウンリンクチャネルリソースを用いて第1のアクセスネットワーク識別子及び第2のアクセスネットワーク識別子をUEに送信するステップとを含む。
【００１９】
第1の態様の第11の可能な実装方法によれば、第13の可能な実装方法において、ネットワークデバイスによって第1のアクセスネットワーク識別子をUEに送信するステップは、
ネットワークデバイスによって、第2のアクセスネットワーク識別子を用いてダウンリンクチャネルリソースをスケジュールするステップと、ダウンリンクチャネルリソースを用いて第1のアクセスネットワーク識別子をUEに送信するステップとを含む。
【００２０】
第1の態様の第11から13の可能な実装方法のいずれかによれば、第14の可能な実装方法において、方法は、
第2のアクセスネットワーク識別子が使用されていない場合、ネットワークデバイスによって、第2のアクセスネットワーク識別子に従ってUEにリソースを割り当てるステップをさらに含む。
【００２１】
第1の態様から第1の態様の第5の可能な実装方法のいずれかによれば、第15の可能な実装方法において、UEでセルハンドオーバが行われ、UEに第3のアクセスネットワーク識別子が既に割り当てられている場合、識別情報は、第3のアクセスネットワーク識別子を含み、第3のアクセスネットワーク識別子は、ネットワークデバイスが位置するセルを除く別のセルのネットワークデバイスによってUEに割り当てられた識別子を含み、
ネットワークデバイスによって、識別情報に従って第1のアクセスネットワーク識別子をUEに割り当てる前に、方法は、
ネットワークデバイスによって、第3のアクセスネットワーク識別子が使用されているかどうかを判定するステップをさらに含み、
それに対応して、ネットワークデバイスによって、第1のアクセスネットワーク識別子をUEに送信するステップは、
ネットワークデバイスによって、第3のアクセスネットワーク識別子の異なる判定結果に従って異なる方法で第1のアクセスネットワーク識別子をUEに送信するステップを含む。
【００２２】
第1の態様の第15の可能な実装方法によれば、第16の可能な実装方法では、ネットワークデバイスによって第3のアクセスネットワーク識別子の異なる判定結果に従って異なる方法で第1のアクセスネットワーク識別子をUEに送信するステップは、
第3のアクセスネットワーク識別子が使用されている場合、ネットワークデバイスによって、アップリンクチャネルリソースの時間‐周波数位置に対応するRA-RNTIを用いてダウンリンクチャネルリソースをスケジュールするステップと、ダウンリンクチャネルリソースを用いて第1のアクセスネットワーク識別子をUEに送信するステップとを含む。
【００２３】
第1の態様の第15の可能な実装方法によれば、第17の可能な実装方法において、ネットワークデバイスによって第3のアクセスネットワーク識別子の異なる判定結果に従って異なる方法で第1のアクセスネットワーク識別子をUEに送信するステップは、
第3のアクセスネットワーク識別子が使用されていない場合、ネットワークデバイスによって第3のアクセスネットワーク識別子を用いてダウンリンクチャネルリソースをスケジュールするステップと、ダウンリンクチャネルリソースを用いて第1のアクセスネットワーク識別子をUEに送信するステップとを含む。
【００２４】
第2の態様によれば、本発明の一実施形態は、ランダムアクセス方法を提供し、方法は、
UEによって、アクセス状況に応じてネットワークデバイスに識別情報を送信するステップと、
UEによって、ネットワークデバイスによって送信された第1のアクセスネットワーク識別子を受信するステップであって、第1のアクセスネットワーク識別子は、ネットワークデバイスによって識別情報に従ってUEに割り当てられたアクセスネットワーク識別子であり、また第1のアクセスネットワーク識別子は、ネットワークデバイスがUEにリソースを割り当てるために使用される、ステップとを含む。
【００２５】
第2の態様によれば、第2の態様の第1の可能な実装方法では、UEがアクセス状況に応じてネットワークデバイスに識別情報を送信するステップは、
UEによって、アップリンクチャネルリソースを用いてアクセス状況に応じてネットワークデバイスに識別情報を送信するステップを含む。
【００２６】
第2の態様の第1の可能な実装方法によれば、第2の可能な実施方法において、アップリンクチャネルリソースは、ランダムアクセスのために使用される時間‐周波数リソースを含む。
【００２７】
第2の態様の第1又は第2の可能な実装方法によれば、第3の可能な実装方法において、方法は、
UEによって、アップリンクチャネルリソースを用いてBSR情報をネットワークデバイスに送信するステップであって、BSR情報は、ネットワークデバイスが識別情報を参照して第1のアクセスネットワーク識別子をUEに割り当てるために使用され、BSR情報はUEの送信予定データのサイズを含む、ステップをさらに含む。
【００２８】
第2の態様の第1から第3の可能な実装方法のいずれかによれば、第4の可能な実装方法では、方法は、
UEによって、アップリンクチャネルリソースを用いて接続確立原因情報をネットワークデバイスに送信するステップをさらに含む。
【００２９】
第2の態様の第2の態様から第4の可能な実装方法のいずれかによれば、第5の可能な実装方法において、第1のアクセスネットワーク識別子はC-RNTIを含む。
【００３０】
第2の態様から第2の態様の第5の可能な実装方法のいずれかによれば、第6の可能な実装方法では、ネットワークデバイスによって送信された第1のアクセスネットワーク識別子をUEが受信するステップは、
PDSCHを用いてネットワークデバイスによって送信される第1のアクセスネットワーク識別子及び識別情報をUEが受信するステップと、
識別情報に従ってPDSCHからの第1のアクセスネットワーク識別子をUEが判定するステップとを含む。
【００３１】
第2の態様の第6の可能な実装方法によれば、第7の可能な実装方法では、UEによって識別情報に従ってPDSCHからの第1のアクセスネットワーク識別子を判定する前に、方法は、
PDSCHのスケジューリング情報であり、かつDCIを用いてネットワークデバイスによって送信されるスケジューリング情報を、UEが受信するステップであって、スケジューリング情報はUEに対応する時間‐周波数リソース位置を含むステップをさらに含み、
それに対応して、識別情報に従ってPDSCHからの第1のアクセスネットワーク識別子をUEが判定するステップは、
識別情報と、UEに対応する時間‐周波数リソース位置とに従って、PDSCHからの第1のアクセスネットワーク識別子をUEが判定するステップを含む。
【００３２】
第2の態様から第2の態様の第7の可能な実装方法のいずれかによれば、第8の可能な実装方法において、アクセスネットワーク識別子又はコアネットワーク識別子がUEに割り当てられていない場合、又はUEに既に割り当てられている識別子が無効である場合、識別情報は、UEによって選択された乱数列を含む。
【００３３】
第2の態様から第2の態様の第7の可能な実装方法のいずれかによれば、第9の可能な実装方法において、UEがアイドル状態にあり、コアネットワーク識別子がUEに既に割り当てられている場合、識別情報は、UEのコアネットワーク識別子を含む。
【００３４】
第2の態様の第9の可能な実装方法によれば、第10の可能な実装方法では、UEのコアネットワーク識別子は、MMEによってUEに割り当てられた一時的なモバイル加入者識別情報を含む。
【００３５】
第2の態様から第2の態様の第5の可能な実装方法のいずれかによれば、第11の可能な実装方法において、第2のアクセスネットワーク識別子が既にUEに割り当てられており、第2のアクセスネットワーク識別子が使用されていない場合、識別情報は第2のアクセスネットワーク識別子を含み、第2のアクセスネットワーク識別子はC-RNTIである。
【００３６】
第2の態様の第11の可能な実装方法によれば、第12の可能な実装方法において、ネットワークデバイスによって送信された第1のアクセスネットワーク識別子をUEが受信するステップは、
アップリンクチャネルリソースの時間‐周波数位置に対応するRA-RNTIを用いてスケジュールされたダウンリンクチャネルリソースを用いてネットワークデバイスによって送信される第1のアクセスネットワーク識別子及び第2のアクセスネットワーク識別子を、UEが受信するステップを含む。
【００３７】
第2の態様の第11の可能な実装方法によれば、第13の可能な実装方法において、ネットワークデバイスによって送信された第1のアクセスネットワーク識別子をUEが受信するステップは、
第2のアクセスネットワーク識別子を用いてスケジュールされたダウンリンクチャネルリソースを用いてネットワークデバイスによって送信された第1のアクセスネットワーク識別子を、UEが受信するステップを含む。
【００３８】
第2の態様から第2の態様の第5の可能な実装方法のいずれかによれば、第14の可能な実装方法において、UEでセルハンドオーバが行われ、UEに第3のアクセスネットワーク識別子が既に割り当てられている場合、識別情報は、第3のアクセスネットワーク識別子を含み、第3のアクセスネットワーク識別子は、ネットワークデバイスが位置するセルを除く別のセルのネットワークデバイスによってUEに割り当てられた識別子を含み、
ネットワークデバイスによって送信された第1のアクセスネットワーク識別子をUEが受信するステップは、
第3のアクセスネットワーク識別子の異なる判定結果に従って異なる方法でネットワークデバイスによって送信された第1のアクセスネットワーク識別子を、UEが受信するステップを含む。
【００３９】
第2の態様の第14の可能な実装方法によれば、第15の可能な実装方法において、第3のアクセスネットワーク識別子の異なる判定結果に従って異なる方法でネットワークデバイスによって送信された第1のアクセスネットワーク識別子をUEが受信するステップは、
第3のアクセスネットワーク識別子が使用されている場合、アップリンクチャネルリソースの時間‐周波数位置に対応するRA-RNTIを用いてスケジュールされたダウンリンクチャネルリソースを用いてネットワークデバイスによって送信された第1のアクセスネットワーク識別子を、UEが受信するステップを含む。
【００４０】
第2の態様の第14の可能な実装方法によれば、第16の可能な実装方法では、第3のアクセスネットワーク識別子の異なる判定結果に従って異なる方法でネットワークデバイスによって送信された第1のアクセスネットワーク識別子をUEが受信するステップは、
第3のアクセスネットワーク識別子が使用されていない場合、第3のアクセスネットワーク識別子を用いてスケジュールされたダウンリンクチャネルリソースを用いてネットワークデバイスによって送信された第1のアクセスネットワーク識別子を、UEが受信するステップを含む。
【００４１】
第3の態様によれば、本発明の一実施形態は、ネットワークデバイスを提供し、ネットワークデバイスは、受信モジュールと、割当てモジュールと、送信モジュールとを含み、受信モジュールと、割当てモジュールと、送信モジュールとは連続的に接続され、
受信モジュールは、アクセス状況に応じてUEによって送信された識別情報を受信し、また識別情報を割当てモジュールに送信するように構成され、
割当てモジュールは、識別情報に従って第1のアクセスネットワーク識別子をUEに割り当て、また第1のアクセスネットワーク識別子を送信モジュールに送信するように構成され、
送信モジュールは、第1のアクセスネットワーク識別子をUEに送信するように構成され、
割当てモジュールは、第1のアクセスネットワーク識別子に従ってUEにリソースを割り当てるようにさらに構成されている。
【００４２】
第3の態様によれば、第3の態様の第1の可能な実装方法において、受信モジュールは、アップリンクチャネルリソースを用いてアクセス状況に応じてUEによって送信された識別情報を受信するようにさらに構成されている。
【００４３】
第3の態様の第1の可能な実装方法によれば、第2の可能な実装方法において、アップリンクチャネルリソースは、ランダムアクセスのために使用される時間‐周波数リソースを含む。
【００４４】
第3の態様の第1又は第2の可能な実装方法によれば、第3の可能な実装方法において、
受信モジュールは、アップリンクチャネルリソースを用いてUEによって送信されたBSR情報を受信し、またBSR情報を割当てモジュールに送信するようにさらに構成され、BSR情報はUEの送信予定データのサイズを含み、
それに対応して、割当てモジュールは、識別情報及びBSR情報に従って第1のアクセスネットワーク識別子をUEに割り当てるようにさらに構成されている。
【００４５】
第3の態様の第1から第3の可能な実装方法のいずれかによれば、第4の可能な実装方法において、
受信モジュールは、アップリンクチャネルリソースを用いてUEによって送信された接続確立原因情報を受信するようにさらに構成されている。
【００４６】
第3の態様から第3の態様の第4の可能な実装方法のいずれかによれば、第5の可能な実装方法において、第1のアクセスネットワーク識別子はC-RNTIを含む。
【００４７】
第3の態様から第3の態様の第5の可能な実装方法のいずれかによれば、第6の可能な実装方法において、
送信モジュールは、PDSCHを用いて第1のアクセスネットワーク識別子及び識別情報をUEに送信するようにさらに構成され、識別情報は、UEがPDSCHからの第1のアクセスネットワーク識別子を判定するために使用される。
【００４８】
第3の態様の第6の可能な実装方法によれば、第7の可能な実装方法において、
送信モジュールは、DCIを用いてPDSCHのスケジューリング情報をUEに送信するようにさらに構成され、スケジューリング情報はUEに対応する時間‐周波数リソース位置を含み、UEに対応する時間‐周波数リソース位置は、UEが識別情報を参照してPDSCHからの第1のアクセスネットワーク識別子を判定するために使用される。
【００４９】
第3の態様から第3の態様の第7の可能な実装方法のいずれかによれば、第8の可能な実装方法において、アクセスネットワーク識別子又はコアネットワーク識別子がUEに割り当てられていない場合、又はUEに既に割り当てられている識別子が無効である場合、受信モジュールによって受信された識別情報は、UEによって選択された乱数列を含む。
【００５０】
第3の態様から第3の態様の第7の可能な実装方法のいずれかによれば、第9の可能な実装方法において、UEがアイドル状態にあり、コアネットワーク識別子がUEに既に割り当てられている場合、受信モジュールによって受信された識別情報は、UEのコアネットワーク識別子を含む。
【００５１】
第3の態様の第9の可能な実装方法によれば、第10の可能な実装方法において、UEのコアネットワーク識別子は、MMEによってUEに割り当てられた一時的なモバイル加入者識別情報を含む。
【００５２】
第3の態様から第3の態様の第5の可能な実装方法のいずれかによれば、第11の可能な実装方法において、第2のアクセスネットワーク識別子が既にUEに割り当てられている場合、受信モジュールによって受信された識別情報は、第2のアクセスネットワーク識別子を含み、第2のアクセスネットワーク識別子はC-RNTIであり、
ネットワークデバイスは、第1の判定モジュールをさらに含み、第1の判定モジュールは、受信モジュール及び割当てモジュールに接続され、
第1の判定モジュールは、割当てモジュールが識別情報に従って第1のアクセスネットワーク識別子をUEに割り当てる前に、第2のアクセスネットワーク識別子が使用されているかどうかを判定し、また第2のアクセスネットワーク識別子の判定結果を割当てモジュールに送信するように構成され、
それに対応して、割当てモジュールは、第2のアクセスネットワーク識別子が使用されている場合、第1のアクセスネットワーク識別子をUEに割り当てるようにさらに構成されている。
【００５３】
第3の態様の第11の可能な実装方法によれば、第12の可能な実装方法において、ネットワークデバイスは、第1のスケジューリングモジュールをさらに含み、第1のスケジューリングモジュールは、割当てモジュール及び送信モジュールに接続され、
第1のスケジューリングモジュールは、アップリンクチャネルリソースの時間‐周波数位置に対応するRA-RNTIを用いてダウンリンクチャネルリソースをスケジュールするように構成され、
送信モジュールは、ダウンリンクチャネルリソースを用いて第1のアクセスネットワーク識別子及び第2のアクセスネットワーク識別子をUEに送信するようにさらに構成されている。
【００５４】
第3の態様の第11の可能な実装方法によれば、第13の可能な実装方法において、ネットワークデバイスは、第2のスケジューリングモジュールをさらに含み、第2のスケジューリングモジュールは、割当てモジュール及び送信モジュールに接続され、
第2のスケジューリングモジュールは、第2のアクセスネットワーク識別子を用いてダウンリンクチャネルリソースをスケジュールするように構成され、
送信モジュールは、ダウンリンクチャネルリソースを用いて第1のアクセスネットワーク識別子をUEに送信するようにさらに構成されている。
【００５５】
第3の態様の第11から第13の可能な実装方法のいずれかによれば、第14の可能な実装方法において、割当てモジュールは、第2のアクセスネットワーク識別子が使用されていない場合、第2のアクセスネットワーク識別子に従ってUEにリソースを割り当てるようにさらに構成されている。
【００５６】
第3の態様から第3の態様の第5の可能な実装方法のいずれかによれば、第15の可能な実装方法において、UEでセルハンドオーバが行われ、UEに第3のアクセスネットワーク識別子が既に割り当てられている場合、受信モジュールによって受信された識別情報は、第3のアクセスネットワーク識別子を含み、第3のアクセスネットワーク識別子は、ネットワークデバイスが位置するセルを除く別のセルのネットワークデバイスによってUEに割り当てられた識別子を含み、
ネットワークデバイスは、第2の判定モジュールをさらに含み、第2の判定モジュールは、受信モジュール及び割当てモジュールに接続され、
第2の判定モジュールは、割当てモジュールが識別情報に従って第1のアクセスネットワーク識別子をUEに割り当てる前に、第3のアクセスネットワーク識別子が使用されているかどうかを判定し、また第3のアクセスネットワーク識別子の判定結果を割当てモジュールに送信するように構成され、
それに対応して、送信モジュールは、第3のアクセスネットワーク識別子の異なる判定結果に従って異なる方法で、第1のアクセスネットワーク識別子をUEに送信するようにさらに構成されている。
【００５７】
第3の態様の第15の可能な実装方法によれば、第16の可能な実装方法では、ネットワークデバイスは、第3のスケジューリングモジュールをさらに含み、第3のスケジューリングモジュールは、割当てモジュール及び送信モジュールに接続され、
第3のスケジューリングモジュールは、第3のアクセスネットワーク識別子が使用されている場合、アップリンクチャネルリソースの時間‐周波数位置に対応するRA-RNTIを用いてダウンリンクチャネルリソースをスケジュールするように構成され、
送信モジュールは、ダウンリンクチャネルリソースを用いて第1のアクセスネットワーク識別子をUEに送信するようにさらに構成されている。
【００５８】
第3の態様の第15の可能な実装方法によれば、第17の可能な実装方法において、ネットワークデバイスは、第4のスケジューリングモジュールをさらに含み、第4のスケジューリングモジュールは、割当てモジュール及び送信モジュールに接続され、
第4のスケジューリングモジュールは、第3のアクセスネットワーク識別子が使用されていない場合、第3のアクセスネットワーク識別子を用いてダウンリンクチャネルリソースをスケジュールするように構成され、
送信モジュールは、ダウンリンクチャネルリソースを用いて第1のアクセスネットワーク識別子をUEに送信するようにさらに構成されている。
【００５９】
第4の態様によれば、本発明の実施形態は、UEをさらに提供し、UEは、送信モジュールと、受信モジュールとを含み、送信モジュールと受信モジュールとは接続され、
送信モジュールは、アクセス状況に応じてネットワークデバイスに識別情報を送信するように構成され、
受信モジュールは、ネットワークデバイスによって送信された第1のアクセスネットワーク識別子を受信するように構成され、第1のアクセスネットワーク識別子は、識別情報に従ってネットワークデバイスによってUEに割り当てられたアクセスネットワーク識別子であり、第1のアクセスネットワーク識別子は、ネットワークデバイスがUEにリソースを割り当てるために使用される。
【００６０】
第4の態様によれば、第1の可能な実装方法において、送信モジュールは、アップリンクチャネルリソースを用いて、アクセス状況に応じて、ネットワークデバイスに識別情報を送信するようにさらに構成されている。
【００６１】
第4の態様の第1の可能な実装方法によれば、第2の可能な実装方法において、アップリンクチャネルリソースは、ランダムアクセスのために使用される時間‐周波数リソースを含む。
【００６２】
第4の態様の第1又は第2の可能な実装方法によれば、第3の可能な実装方法において、送信モジュールは、アップリンクチャネルリソースを用いてネットワークデバイスにBSR情報を送信するようにさらに構成され、BSR情報は、ネットワークデバイスが識別情報を参照して第1のアクセスネットワーク識別子をUEに割り当てるために使用され、BSR情報はUEの送信予定データのサイズを含む。
【００６３】
第4の態様の第1から第3の可能な実装方法のいずれかによれば、第4の可能な実装方法において、送信モジュールは、アップリンクチャネルリソースを用いてネットワークデバイスに接続確立原因情報を送信するようにさらに構成されている。
【００６４】
第4の態様から第4の態様の第4の可能な実装方法のいずれかによれば、第5の可能な実装方法において、受信モジュールによって受信される第1のアクセスネットワーク識別子は、C-RNTIを含む。
【００６５】
第4の態様から第4の態様の第5の可能な実装方法のいずれかによれば、第6の可能な実装方法において、UEは判定モジュールをさらに含み、判定モジュールと受信モジュールとは接続され、
受信モジュールは、PDSCHを用いてネットワークによって送信される第1のアクセスネットワーク識別子及び識別情報を受信し、またPDSCH及び識別情報を判定モジュールに送信するようにさらに構成され、
判定モジュールは、識別情報に従ってPDSCHからの第1のアクセスネットワーク識別子を判定するように構成されている。
【００６６】
第4の態様の第6の可能な実装方法によれば、第7の可能な実装方法において、受信モジュールは、判定モジュールがPDSCHからの第1のアクセスネットワーク識別子を判定する前に、PDSCHのスケジューリング情報であり、かつDCIを用いてネットワークデバイスによって送信されるスケジューリング情報を受信し、またスケジューリング情報を判定モジュールに送信するようにさらに構成され、スケジューリング情報はUEに対応する時間‐周波数リソース位置を含み、
判定モジュールは、識別情報及びUEに対応する時間‐周波数リソース位置に従って、PDSCHからの第1のアクセスネットワーク識別子を判定するようにさらに構成されている。
【００６７】
第4の態様から第4の態様の第7の可能な実装方法のいずれかによれば、第8の可能な実装方法において、アクセスネットワーク識別子又はコアネットワーク識別子がUEに割り当てられていない場合、又はUEに既に割り当てられている識別子が無効である場合、識別情報は、UEによって選択された乱数列を含む。
【００６８】
第4の態様から第4の態様の第7の可能な実装方法のいずれかによれば、第9の可能な実装方法において、UEがアイドル状態にあり、コアネットワーク識別子がUEに既に割り当てられている場合、識別情報は、UEのコアネットワーク識別子を含む。
【００６９】
第4の態様の第9の可能な実装方法によれば、第10の可能な実装方法において、UEのコアネットワーク識別子は、MMEによってUEに割り当てられた一時的なモバイル加入者識別情報を含む。
【００７０】
第4の態様から第4の態様の第5の可能な実装方法のいずれかによれば、第11の可能な実装方法において、第2のアクセスネットワーク識別子が既にUEに割り当てられており、第2のアクセスネットワーク識別子が使用されていない場合、識別情報は第2のアクセスネットワーク識別子を含み、第2のアクセスネットワーク識別子はC-RNTIである。
【００７１】
第4の態様の第11の可能な実装方法によれば、第12の可能な実装方法において、受信モジュールは、アップリンクチャネルリソースの時間‐周波数位置に対応するRA-RNTIを用いてスケジュールされたダウンリンクチャネルを用いてネットワークデバイスによって送信される、第1のアクセスネットワーク識別子及び第2のアクセスネットワーク識別子を受信するようにさらに構成されている。
【００７２】
第4の態様の第11の可能な実装方法によれば、第13の可能な実装方法において、受信モジュールは、第2のアクセスネットワーク識別子を用いてスケジュールされたダウンリンクチャネルリソースを用いてネットワークデバイスによって送信された第1のアクセスネットワーク識別子を受信するようにさらに構成されている。
【００７３】
第4の態様から第4の態様の第5の可能な実装方法のいずれかによれば、第14の可能な実装方法において、UEでセルハンドオーバが行われ、UEに第3のアクセスネットワーク識別子が既に割り当てられている場合、識別情報は、第3のアクセスネットワーク識別子を含み、第3のアクセスネットワーク識別子は、ネットワークデバイスが位置するセルを除く別のセルのネットワークデバイスによってUEに割り当てられた識別子を含み、
受信モジュールは、第3のアクセスネットワーク識別子の異なる判定結果に従って異なる方法でネットワークデバイスによって送信された第1のアクセスネットワーク識別子を受信するようにさらに構成されている。
【００７４】
第4の態様の第14の可能な実装方法によれば、第15の可能な実装方法では、受信モジュールは、第3のアクセスネットワーク識別子が使用されている場合、アップリンクチャネルリソースの時間‐周波数位置に対応するRA-RNTIを用いてスケジュールされたダウンリンクチャネルリソースを用いてネットワークデバイスによって送信された第1のアクセスネットワーク識別子を受信するようにさらに構成されている。
【００７５】
第4の態様の第14の可能な実装方法によれば、第16の可能な実装方法において、受信モジュールは、第3のアクセスネットワーク識別子が使用されていない場合、第3のアクセスネットワーク識別子を用いてスケジュールされたダウンリンクチャネルリソースを用いてネットワークデバイスによって送信された第1のアクセスネットワーク識別子を受信するようにさらに構成される。
【００７６】
第5の態様によれば、本発明の一実施形態は、ネットワークデバイスをさらに提供し、ネットワークデバイスは、受信機と、プロセッサと、送信機とを含み、受信機と、プロセッサと、送信機とは連続的に接続され、
受信機は、アクセス状況に応じてUEによって送信された識別情報を受信し、また識別情報をプロセッサに送信するように構成され、
プロセッサは、識別情報に従って、第1のアクセスネットワーク識別子をUEに割り当て、また第1のアクセスネットワーク識別子を送信機に送信するように構成され、
送信機は、第1のアクセスネットワーク識別子をUEに送信するように構成され、
プロセッサは、第1のアクセスネットワーク識別子に従ってUEにリソースを割り当てるようにさらに構成されている。
【００７７】
第5の態様によれば、第5の態様の第1の可能な実装方法において、受信機は、アップリンクチャネルリソースを用いてアクセス状況に応じてUEによって送信された識別情報を受信するようにさらに構成されている。
【００７８】
第5の態様の第1の可能な実装方法によれば、第2の可能な実装方法において、アップリンクチャネルリソースは、ランダムアクセスのために使用される時間‐周波数リソースを含む。
【００７９】
第5の態様の第1又は第2の可能な実装方法によれば、第3の可能な実装方法において、受信機は、アップリンクチャネルリソースを用いてUEによって送信されたBSR情報を受信し、またBSR情報をプロセッサに送信するようにさらに構成され、BSR情報はUEの送信予定データのサイズを含み、
それに応じて、プロセッサは、識別情報及びBSR情報に従って第1のアクセスネットワーク識別子をUEに割り当てるようにさらに構成されている。
【００８０】
第5の態様の第1から第3の可能な実装方法のいずれかによれば、第4の可能な実装方法において、受信機は、アップリンクチャネルリソースを用いてUEによって送信された接続確立原因情報を受信するようにさらに構成されている。
【００８１】
第5の態様から第5の態様の第4の可能な実装方法のいずれかによれば、第5の可能な実装方法において、第1のアクセスネットワーク識別子はC-RNTIを含む。
【００８２】
第5の態様から第5の態様の第5の可能な実装方法のいずれかによれば、第6の可能な実装方法において、送信機は、PDSCHを用いて第1のアクセスネットワーク識別子及び識別情報をUEに送信するようにさらに構成され、識別情報は、UEがPDSCHからの第1のアクセスネットワーク識別子を判定するために使用される。
【００８３】
第5の態様の第6の可能な実装方法によれば、第7の可能な実装方法において、送信機は、DCIを用いてPDSCHのスケジューリング情報をUEに送信するようにさらに構成され、スケジューリング情報は、UEに対応する時間‐周波数リソース位置を含み、UEに対応する時間‐周波数リソース位置は、UEが識別情報を参照してPDSCHからの第1のアクセスネットワーク識別子を判定するために使用される。
【００８４】
第5の態様から第5の態様の第7の可能な実装方法のいずれかによれば、第8の可能な実装方法において、アクセスネットワーク識別子又はコアネットワーク識別子がUEに割り当てられていない場合、又はUEに既に割り当てられている識別子が無効である場合、受信機によって受信された識別情報は、UEによって選択された乱数列を含む。
【００８５】
第5の態様から第5の態様の第7の可能な実装方法のいずれかによれば、第9の可能な実装方法において、UEがアイドル状態にあり、コアネットワーク識別子がUEに既に割り当てられている場合、受信機によって受信された識別情報は、UEのコアネットワーク識別子を含む。
【００８６】
第5の態様の第9の可能な実装方法によれば、第10の可能な実装方法では、UEのコアネットワーク識別子は、MMEによってUEに割り当てられた一時的なモバイル加入者識別情報を含む。
【００８７】
第5の態様から第5の態様の第5の可能な実装方法のいずれかによれば、第11の可能な実装方法において、第2のアクセスネットワーク識別子が既にUEに割り当てられている場合、受信機によって受信される識別情報は、第2のアクセスネットワーク識別子を含み、第2のアクセスネットワーク識別子はC-RNTIであり、
プロセッサは、識別情報に従って第1のアクセスネットワーク識別子をUEに割り当てる前に、第2のアクセスネットワーク識別子が使用されているかどうかを判定し、第2のアクセスネットワーク識別子が使用されている場合、第1のアクセスネットワーク識別子をUEに割り当てるようにさらに構成されている。
【００８８】
第5の態様の第11の可能な実装方法によれば、第12の可能な実装方法において、プロセッサは、アップリンクチャネルリソースの時間‐周波数位置に対応するRA-RNTIを用いてダウンリンクチャネルリソースをスケジュールするようにさらに構成され、
送信機は、ダウンリンクチャネルリソースを用いて第1のアクセスネットワーク識別子及び第2のアクセスネットワーク識別子をUEに送信するようにさらに構成されている。
【００８９】
第5の態様の第11の可能な実装方法によれば、第13の可能な実装方法において、プロセッサは、第2のアクセスネットワーク識別子を用いてダウンリンクチャネルリソースをスケジュールするようにさらに構成され、
送信機は、ダウンリンクチャネルリソースを用いて第1のアクセスネットワーク識別子をUEに送信するようにさらに構成されている。
【００９０】
第5の態様の第11から第13の可能な実装方法のいずれかによれば、第14の可能な実装方法において、プロセッサは、第2のアクセスネットワーク識別子が使用されていない場合、第2のアクセスネットワーク識別子に従ってUEにリソースを割り当てるようにさらに構成されている。
【００９１】
第5の態様から第5の態様の第5の可能な実装方法のいずれかによれば、第15の可能な実装方法において、UEでセルハンドオーバが行われ、UEに第3のアクセスネットワーク識別子が既に割り当てられている場合、受信機によって受信された識別情報は、第3のアクセスネットワーク識別子を含み、第3のアクセスネットワーク識別子は、ネットワークデバイスが位置するセルを除く別のセルのネットワークデバイスによってUEに割り当てられた識別子を含み、
プロセッサは、識別情報に従って第1のアクセスネットワーク識別子をUEに割り当てる前に、第3のアクセスネットワーク識別子が使用されているかどうかを判定するようにさらに構成され、
送信機は、第3のアクセスネットワーク識別子の異なる判定結果に従って異なる方法で、第1のアクセスネットワーク識別子をUEに送信するようにさらに構成されている。
【００９２】
第5の態様の第15の可能な実装方法によれば、第16の可能な実装方法において、プロセッサは、第3のアクセスネットワーク識別子が使用されている場合、アップリンクチャネルリソースの時間‐周波数位置に対応するRA-RNTIを用いてダウンリンクチャネルリソースをスケジュールするようにさらに構成され、
送信機は、ダウンリンクチャネルリソースを用いて第1のアクセスネットワーク識別子をUEに送信するようにさらに構成されている。
【００９３】
第5の態様の第15の可能な実装方法によれば、第17の可能な実装方法において、プロセッサは、第3のアクセスネットワーク識別子が使用されていない場合、第3のアクセスネットワーク識別子を用いてダウンリンクチャネルリソースをスケジュールするようにさらに構成され、
送信機は、ダウンリンクチャネルリソースを用いて第1のアクセスネットワーク識別子をUEに送信するようにさらに構成されている。
【００９４】
第6の態様によれば、本発明の実施形態は、UEをさらに提供し、UEは、受信機と、プロセッサと、送信機とを含み、受信機と、プロセッサと、送信機とは連続的に接続され、
送信機は、アクセス状況に応じてネットワークデバイスに識別情報を送信するように構成され、
受信機は、ネットワークデバイスによって送信された第1のアクセスネットワーク識別子を受信するように構成され、第1のアクセスネットワーク識別子は、識別情報に従ってネットワークデバイスによってUEに割り当てられたアクセスネットワーク識別子であり、第1のアクセスネットワーク識別子は、ネットワークデバイスがUEにリソースを割り当てるために使用される。
【００９５】
第6の態様によれば、第6の態様の第1の可能な実装方法において、送信機は、アップリンクチャネルリソースを用いて、アクセス状況に応じて、ネットワークデバイスに識別情報を送信するようにさらに構成されている。
【００９６】
第6の態様の第1の可能な実装方法によれば、第2の可能な実装方法において、アップリンクチャネルリソースは、ランダムアクセスのために使用される時間‐周波数リソースを含む。
【００９７】
第6の態様の第1又は第2の可能な実装方法によれば、第3の可能な実装方法において、送信機は、アップリンクチャネルリソースを用いてBSR情報をネットワークデバイスに送信するようにさらに構成され、BSR情報は、ネットワークデバイスが識別情報を参照して第1のアクセスネットワーク識別子をUEに割り当てるために使用され、BSR情報は、UEの送信予定データのサイズを含む。
【００９８】
第6の態様の第1から第3の可能な実装方法のいずれかによれば、第4の可能な実装方法において、送信機は、アップリンクチャネルリソースを用いてネットワークデバイスに接続確立原因情報を送信するようにさらに構成されている。
【００９９】
第6の態様から第6の態様の第4の可能な実装方法のいずれかによれば、第5の可能な実装方法において、受信機によって受信された第1のアクセスネットワーク識別子は、C-RNTIを含む。
【０１００】
第6の態様から第6の態様の第5の可能な実装方法のいずれかによれば、第6の可能な実装方法において、受信機は、ネットワークデバイスによってPDSCHを用いて送信された第1のアクセスネットワーク識別子及び識別情報を受信し、またPDSCH及び識別情報をプロセッサに送信するようにさらに構成され、
プロセッサは、識別情報に従ってPDSCHからの第1のアクセスネットワーク識別子を判定するようにさらに構成されている。
【０１０１】
第6の態様の第6の可能な実装方法によれば、第7の可能な実装方法において、受信機は、プロセッサが識別情報に従ってPDSCHからの第1のアクセスネットワーク識別子を判定する前に、PDSCHのスケジューリング情報であり、かつDCIを用いてネットワークデバイスによって送信されるスケジューリング情報を受信し、またスケジューリング情報をプロセッサに送信するようにさらに構成され、スケジューリング情報は、UEに対応する時間‐周波数リソース位置を含み、
プロセッサは、識別情報及びUEに対応する時間‐周波数リソース位置に従ってPDSCHからの第1のアクセスネットワーク識別子を判定するようにさらに構成されている。
【０１０２】
第6の態様から第6の態様の第7の可能な実装方法のいずれかによれば、第8の可能な実装方法において、アクセスネットワーク識別子又はコアネットワーク識別子がUEに割り当てられていない場合、又はUEに既に割り当てられている識別子が無効である場合、識別情報は、UEによって選択された乱数列を含む。
【０１０３】
第6の態様から第6の態様の第7の可能な実装方法のいずれかによれば、第9の可能な実装方法において、UEがアイドル状態にあり、コアネットワーク識別子がUEに既に割り当てられている場合、識別情報は、UEのコアネットワーク識別子を含む。
【０１０４】
第6の態様の第9の可能な実装方法によれば、第10の可能な実装方法では、UEのコアネットワーク識別子は、MMEによってUEに割り当てられた一時的なモバイル加入者識別情報を含む。
【０１０５】
第6の態様から第6の態様の第5の可能な実装方法のいずれかによれば、第11の可能な実装方法において、第2のアクセスネットワーク識別子が既にUEに割り当てられており、第2のアクセスネットワーク識別子が使用されていない場合、識別情報は第2のアクセスネットワーク識別子を含み、第2のアクセスネットワーク識別子はC-RNTIである。
【０１０６】
第6の態様の第11の可能な実装方法によれば、第12の可能な実装方法において、受信機は、アップリンクチャネルリソースの時間‐周波数位置に対応するRA-RNTIを用いてスケジュールされたダウンリンクチャネルリソースを用いてネットワークデバイスによって送信される、第1のアクセスネットワーク識別子及び第2のアクセスネットワーク識別子を受信するようにさらに構成されている。
【０１０７】
第6の態様の第11の可能な実装方法によれば、第13の可能な実装方法において、受信機は、第2のアクセスネットワーク識別子を用いてスケジュールされたダウンリンクチャネルリソースを用いてネットワークデバイスによって送信された第1のアクセスネットワーク識別子を受信するようにさらに構成されている。
【０１０８】
第6の態様から第6の態様の第5の可能な実装方法のいずれかによれば、第14の可能な実装方法において、UEでセルハンドオーバが行われ、UEに第3のアクセスネットワーク識別子が既に割り当てられている場合、識別情報は、第3のアクセスネットワーク識別子を含み、第3のアクセスネットワーク識別子は、ネットワークデバイスが位置するセルを除く別のセルのネットワークデバイスによってUEに割り当てられた識別子を含み、
受信機は、第3のアクセスネットワーク識別子の異なる判定結果に従って異なる方法でネットワークデバイスによって送信された第1のアクセスネットワーク識別子を受信するようにさらに構成されている。
【０１０９】
第6の態様の第14の可能な実装方法によれば、第15の可能な実装方法において、受信機は、第3のアクセスネットワーク識別子が使用されている場合、アップリンクチャネルリソースの時間‐周波数位置に対応するRA-RNTIを用いてスケジュールされたダウンリンクチャネルリソースを用いてネットワークデバイスによって送信された、第1のアクセスネットワーク識別子を受信するようにさらに構成される。
【０１１０】
第6の態様の第14の可能な実装方法によれば、第16の可能な実装方法において、受信機は、第3のアクセスネットワーク識別子が使用されていない場合、第3のアクセスネットワーク識別子を用いてスケジュールされたダウンリンクチャネルリソースを用いてネットワークデバイスによって送信された、第1のアクセスネットワーク識別子を受信するようにさらに構成される。
【０１１１】
本発明の実施形態に係るランダムアクセス方法、ネットワークデバイス及びユーザ機器によれば、ネットワークデバイスは、アクセス状況に応じてUEによって送信された受信した識別情報に従って第1のアクセスネットワーク識別子をUEに割り当て、第1のアクセスネットワーク識別子をUEに送信した後、第1のアクセスネットワーク識別子に従ってUEにリソースを割り当てるだけでよく、その結果、UEがネットワークデバイスにアクセスするために使用するリソースを削減し、シグナリングオーバーヘッドを削減することができる。
【０１１２】
本発明の実施形態又は先行技術における技術的解決方法をより明確に説明するために、実施形態又は先行技術を説明するために必要な添付図面を以下に簡単に説明する。当然ながら、以下の説明における添付図面は、本発明のいくつかの実施形態を示しているにすぎず、当業者は創造的な努力なしにこれらの添付図面からさらに他の図面を導き出すことができる。
【図面の簡単な説明】
【０１１３】
【図１】本発明の実施形態1に係るランダムアクセス方法のフローチャートである。
【図２】本発明の実施形態2に係るランダムアクセス方法のフローチャートである。
【図３】本発明の実施形態3に係るランダムアクセス方法のフローチャートである。
【図４】本発明の実施形態4に係るランダムアクセス方法のフローチャートである。
【図５】本発明の実施形態5に係るランダムアクセス方法のフローチャートである。
【図６】本発明の実施形態6に係るランダムアクセス方法のフローチャートである。
【図７】本発明の実施形態6に係る別のランダムアクセス方法のフローチャートである。
【図８】本発明の実施形態6に係るさらに別のランダムアクセス方法のフローチャートである。
【図９】本発明の実施形態7に係るネットワークデバイスの概略構成図である。
【図１０】本発明の実施形態8に係るUEの概略構成図である。
【図１１】本発明の実施形態9に係るネットワークデバイスの概略構成図である。
【図１２】本発明の実施形態10に係るUEの概略構成図である。
【発明を実施するための形態】
【０１１４】
本発明の実施形態が、添付の図面を参照して以下に説明される。
【０１１５】
実施形態1
図1は、本発明の実施形態1に係るランダムアクセス方法のフローチャートである。本方法は、例えば、ユーザ機器（User Equipment、略してUE）が最初にネットワークにアクセスし、接続が中断され、ユーザ機器がネットワークに再びアクセスし、ユーザ機器がネットワークにアクセスしたがアップリンクチャネルリソースがなく、ユーザ機器が再びネットワークにアクセスしてリソースを申請したり、セルハンドオーバが行われたり、基地局が再選択されたりするシナリオに適用され得る。方法は、ネットワークデバイスによって実行されてもよい。ネットワークデバイスは、基地局のようなアクセスネットワークデバイスであってもよい。図1に示すように、方法は、具体的には以下のステップを含む。
【０１１６】
ステップ101：ネットワークデバイスは、アクセス状況に応じてユーザ機器UEによって送信された識別情報を受信する。
【０１１７】
具体的には、UEは、異なるアプリケーションシナリオにおいて異なるアクセス状況を有し、異なるアクセス状況のUEは異なる識別情報を有する。
【０１１８】
ステップ102：ネットワークデバイスは、識別情報に従って第1のアクセスネットワーク識別子をUEに割り当てる。
【０１１９】
第1のアクセスネットワーク識別子は、ネットワークデバイスによって割り当てられる識別情報であってもよく、また、UEがネットワークにアクセスし、アップリンク情報を送信するか、又はネットワークデバイスによって送信されたダウンリンク情報を受信するために必要な識別情報であってもよい。ネットワークデバイスが識別情報に従って第1のアクセスネットワーク識別子をUEに割り当てるステップは、実際には、識別情報に従って第1のアクセスネットワーク識別子に対応するリソースをUEに割り当てるステップである。先行技術において、ネットワークデバイスは、まず、UEによって送信されたプリアンブルシーケンス（Preamble）を受信し、ランダムアクセス応答メッセージを送信する必要がある。UEは、メッセージを受信した後、無線リソース制御（Radio Resource Control、略してRRC）接続要求メッセージを送信する。加えて、異なるUEが同じプリアンブルシーケンスを選択することによって生じる衝突の問題を解決するために、競合解決メカニズムが必要とされる。しかし、本実施形態の解決方法では、ネットワークデバイスは、UEによって送信されたプリアンブルシーケンス（Preamble）を受信する必要はなく、UEに応答メッセージを返す必要もない、すなわち、ネットワークデバイスは、UEによって送信された識別情報に従って直接UEに第1のアクセスネットワーク識別子を割り当て、割り当てられた第1のアクセスネットワーク識別子に従ってUEにリソースを割り当てることができる。したがって、本実施形態の解決方法では、ランダムアクセス処理において使用されるリソースを削減することができ、シグナリングオーバーヘッドを削減することができる。
【０１２０】
ステップ103：ネットワークデバイスは、第1のアクセスネットワーク識別子をUEに送信する。
【０１２１】
ネットワークデバイスは、ダウンリンク物理チャネルを用いて第1のアクセスネットワーク識別子をUEに送信することができる。ダウンリンク物理チャネルは、例えば、物理ダウンリンク共有チャネル（Physical Downlink Shared Channel、略してPDSCH）又は物理ダウンリンク制御チャネル（Physical Downlink Control Channel、略してPDCCH）であってもよい。
【０１２２】
ステップ104：ネットワークデバイスは、第1のアクセスネットワーク識別子に従ってUEにリソースを割り当てる。
【０１２３】
ネットワークデバイスによって、第1のアクセスネットワーク識別子に従ってUEに割り当てられるリソースは、UEのアップリンクリソースであってもよい。アップリンクリソースは、UEがアップリンクデータ情報又はアップリンクシグナリング情報を送信するために使用されてもよい。
【０１２４】
なお、ネットワークデバイスは、第1のアクセスネットワーク識別子に従ってUEをさらにスケジュールすることができ、すなわち、第1のアクセスネットワーク識別子に従ってUEにダウンリンクデータ情報及び／又はダウンリンク制御情報（Downlink Control Information、略してDCI）を送信し、第1のアクセスネットワーク識別子に従ってUEによって送信されたアップリンクデータ情報を受信して、UEをスケジュールする。
【０１２５】
本実施形態で提供されるランダムアクセス方法では、ネットワークデバイスは、アクセス状況に応じてUEによって送信された、受信した識別情報に従って、第1のアクセスネットワーク識別子をUEに割り当て、第1のアクセスネットワーク識別子をUEに送信し、割り当てられた第1のアクセスネットワーク識別子に従ってUEにリソースを割り当てるだけでよく、その結果、UEがネットワークデバイスにアクセスするために使用するリソースを削減することができ、シグナリングオーバーヘッドを削減することができる。
【０１２６】
実施形態2
図2は、本発明の実施形態2に係るランダムアクセス方法のフローチャートである。本実施形態はランダムアクセス方法をさらに提供する。図2に示すように、方法は前述の実施形態に基づく。任意選択的に、ネットワークデバイスがアクセス状況に応じてUEによって送信された識別情報を受信する前述のステップ101は、以下を含んでいてもよい。
【０１２７】
ステップ201：ネットワークデバイスは、アップリンクチャネルリソースを用いてアクセス状況に応じてUEによって送信された識別情報を受信する。
【０１２８】
具体的には、ネットワークデバイスは、ランダムアクセスメッセージ又はリソース要求メッセージのような任意のメッセージを用いて、及びアップリンクチャネルリソースを用いてUEによって送信された識別情報を受信することができる。
【０１２９】
任意選択的に、上記アップリンクチャネルリソースは、ランダムアクセスのために使用される時間‐周波数リソースを含むことができる。
【０１３０】
具体的には、アップリンクチャネルリソースがランダムアクセスに使用される時間周波数リソースを含む場合、ネットワークデバイスは、ランダムアクセスメッセージを用いて対応する時間周波数リソースにおいてUEによって送信された識別情報を受信することができる。
【０１３１】
さらに、上記実施形態の解決方法に基づいて、本方法は以下を含む。
【０１３２】
ステップ202：ネットワークデバイスは、アップリンクチャネルリソースを用いてUEによって送信されたバッファステータスレポートBSR情報を受信し、BSR情報はUEの送信予定データのサイズを含む。
【０１３３】
それに対応して、ネットワークデバイスが識別情報に従って第1のアクセスネットワーク識別子をUEに割り当てる前述のステップ102は以下を含んでいてもよい。
【０１３４】
ステップ203：ネットワークデバイスは、識別情報及びBSR情報に従って、第1のアクセスネットワーク識別子をUEに割り当てる。
【０１３５】
具体的には、ネットワークデバイスは、アップリンクチャネルリソースを用いてUEによって送信されたバッファステータスレポート（Buffer State Report、略してBSR）情報をさらに受信し、ネットワークデバイスは、BSR情報に含まれるUEの送信予定データのサイズを参照情報として用いて、前述の識別情報を参照して、第1のアクセスネットワーク識別子をUEに割り当てる。本実施形態の解決方法では、さらに、ネットワークデバイスによって判定された第1のアクセスネットワーク識別子をUEにさらに整合させて、適切なリソース割当てを確実にすることができる。
【０１３６】
さらに、方法は、
ネットワークデバイスによって、アップリンクチャネルリソースを用いてUEによって送信された接続確立原因情報を受信するステップをさらに含む。
【０１３７】
具体的には、接続確立原因情報は、例えば、ランダムアクセス方法のためのトリガ条件、すなわちアップリンクチャネルリソースを用いてUEがネットワークデバイスに識別情報を送信するためのトリガ条件であってもよい。トリガ条件は、UEトリガ又はネットワークデバイストリガであってもよい。トリガ条件がネットワークデバイストリガである場合、ネットワークデバイスは、アップリンクチャネルリソースを用いてUEによって送信された識別情報を受信する前に、接続確立要求メッセージ等をUEにさらに送信して、識別情報を送信するようにUEをトリガする。
【０１３８】
なお、識別情報、BSR情報及び接続確立原因情報は全て、アップリンクチャネルリソースを用いて送信される。すなわち、ステップ201、ステップ202、及び接続確立原因情報を送信するステップは、同期して実行されてもよい。アップリンクチャネルリソースが、ランダムアクセスに使用される時間‐周波数リソースを含む、すなわち、ネットワークデバイスが、ランダムアクセスメッセージを用いて対応する時間‐周波数リソース上でUEによって送信された識別情報を受信する可能性がある場合、ランダムアクセスメッセージは、少なくともBSR情報と接続確立原因情報とをさらに含む。
【０１３９】
任意選択的に、前述の解決方法で説明された第1のアクセスネットワーク識別子は、セル無線ネットワーク一時識別子（Cell Radio Network Temporary Identity、略してC-RNTI）を含む。
【０１４０】
さらに、前述の解決方法において、ネットワークデバイスが第1のアクセスネットワーク識別子をUEに送信するステップ103は、以下を含む。
【０１４１】
ステップ204：ネットワークデバイスは、PDSCHを用いて第1のアクセスネットワーク識別子及び識別情報をUEに送信し、識別情報は、UEがPDSCHからの第1のアクセスネットワーク識別子を判定するために使用される。
【０１４２】
また、前述の実施形態に基づいて、方法はさらに以下を含む。
【０１４３】
ステップ205：ネットワークデバイスは、DCIを用いてPDSCHのスケジューリング情報をUEに送信し、スケジューリング情報は、UEに対応する時間‐周波数リソース位置を含み、UEに対応する時間‐周波数リソース位置は、UEが識別情報を参照してPDSCHからの第1のアクセスネットワーク識別子を判定するために使用される。
【０１４４】
具体的には、スケジューリング情報に含まれるUEに対応する時間‐周波数リソース位置は、PDSCH内にあり、かつUEに対応する情報、例えば第1のアクセスネットワーク識別子及び識別情報を送信するための、時間‐周波数リソース位置を参照する。ネットワークデバイスがスケジューリング情報をUEにさらに送信することにより、UEは、スケジューリング情報に従ってPDSCHからのUEに対応する情報を判定し、その後、識別情報に従って第1のアクセスネットワーク識別子を判定する。本実施形態の解決方法では、ネットワークデバイスは、UEに識別情報及びスケジューリング情報をさらに送信するため、ネットワークデバイスによって割り当てられ、かつUEによって受信されたアクセスネットワーク識別子の一意性が保証され、それによって異なるUEのアクセスネットワーク識別子の競合の問題又は衝突の問題が回避される。
【０１４５】
なお、本実施形態の解決方法では、ステップ204とステップ205との間に絶対時間シーケンスはなく、ステップ205及びステップ204は同時に実行されてもよく、ステップ205はステップ204の前又は後に実行されてもよい。これは、本発明における本明細書に限定されない。
【０１４６】
前述の実施形態のいずれかに記載の解決方法では、アクセスネットワーク識別子又はコアネットワーク識別子がUEに割り当てられていないか、又はUEに既に割り当てられている識別子が無効である場合、識別情報は、UEによって選択された乱数列を含む。
【０１４７】
具体的には、アクセスネットワーク識別子又はコアネットワーク識別子がUEに割り当てられていない場合、UEは、ネットワークに最初にアクセスするシナリオにあってもよい。既にUEに割り当てられた識別子が無効である場合、UEは、セルハンドオーバ又は基地局の再選択を行うシナリオにあってもよい。UEによって選択される乱数列は、予め設定されたビット数の乱数、例えば40ビットの乱数を含む文字列であってもよい。
【０１４８】
あるいは、前述の解決方法において、UEがアイドル状態にあり、コアネットワーク識別子が既にUEに割り当てられている場合、識別情報は、UEのコアネットワーク識別子を含む。
【０１４９】
具体的には、UEがアイドル状態にある場合、UEとアクセスネットワークとの間の接続は中断され、UEは再びアクセスネットワークにアクセスする必要がある。しかしながら、UEはコアネットワークに登録されているため、コアネットワーク識別子は既にUEに割り当てられている。
【０１５０】
任意選択的に、UEの前述のコアネットワーク識別子は、移動管理エンティティ（Mobility Management Entity、略してMME）のようなコアネットワークデバイスによってUEに割り当てられた、一時的なモバイル加入者識別情報（Temporary Mobile Subscriber Identity、略してTMSI）を含んでいてもよい。
【０１５１】
本実施形態で提供されるランダムアクセス方法では、第1のアクセスネットワーク識別子がUEに送信されている時に、識別情報及びUEに対応する時間周波数リソース位置がUEにさらに送信されるため、異なるUEによって受信されたアクセスネットワーク識別子の競合の問題又は衝突の問題を回避することができる。さらに、UEの2つのアクセス状況に対応する識別情報は、異なるシナリオに対する解決方法の適用性を保証するために、例を用いてさらに説明される。
【０１５２】
実施形態3
本発明の本実施形態は、ランダムアクセス方法をさらに提供する。図3は、本発明の実施形態3に係るランダムアクセス方法のフローチャートである。
【０１５３】
方法は、実施形態1又は実施形態2に基づく。あるいは、第2のアクセスネットワーク識別子が既にUEに割り当てられている場合、識別情報は、第2のアクセスネットワーク識別子を含む。第2のアクセスネットワーク識別子はC-RNTIである。
【０１５４】
具体的には、第2のアクセスネットワーク識別子が既にUEに割り当てられている、すなわちUEが接続状態にある場合、すなわち、UEがネットワークにアクセスしたがアップリンクチャネルリソースがない場合、UEは、再びネットワークにアクセスしてリソースを申請する必要がある。
【０１５５】
図3に示すように、ネットワークデバイスが識別情報に従って第1のアクセスネットワーク識別子をUEに割り当てる前述のステップ102の前に、本方法は以下をさらに含む。
【０１５６】
ステップ301：ネットワークデバイスは、第2のアクセスネットワーク識別子が使用されているかどうかを判定する。
【０１５７】
具体的には、ネットワークデバイスは、第2のアクセスネットワーク識別子が使用されているかどうかを判定するために、例えば、ネットワークデバイスに格納されたリソース割当てリストの検索を行って、第2のアクセスネットワーク識別子が使用されているかどうかを判定する。ネットワークデバイスがリソース割当てリストから第2のアクセスネットワーク識別子を検索することができる場合、ネットワークデバイスが第2のアクセスネットワーク識別子のためのリソースを割り当てたこと、すなわち第2のアクセスネットワーク識別子が他のUEによって使用されていることを示す。ネットワークデバイスがリソース割当てリストから第2のアクセスネットワーク識別子を検索できない場合、ネットワークデバイスが第2のアクセスネットワーク識別子のリソースを割り当てていないことを示し、したがって、第2のアクセスネットワーク識別子は使用されていない。
【０１５８】
それに対応して、ネットワークデバイスが識別情報に従って第1のアクセスネットワーク識別子をUEに割り当てる前述のステップ102は以下を含んでいてもよい。
【０１５９】
ステップ302：第2のアクセスネットワーク識別子が使用されている場合、ネットワークデバイスは、第1のアクセスネットワーク識別子をUEに割り当てる。
【０１６０】
さらに、前述の実施形態の解決方法では、ネットワークデバイスによって、第1のアクセスネットワーク識別子をUEに送信するステップ103は、
アップリンクチャネルリソースの時間‐周波数位置に対応するランダムアクセス無線ネットワーク一時識別子（Random Access Radio Network Temporary Identity、略してRA-RNTI）を用いて、ダウンリンクチャネルリソースをスケジュールするステップと、ダウンリンクチャネルリソースを用いて、第1のアクセスネットワーク識別子及び第2のアクセスネットワーク識別子をUEに送信するステップとを含んでいてもよい。
【０１６１】
あるいは、前述の解決方法において、ネットワークデバイスが第1のアクセスネットワーク識別子をUEに送信するステップ103は、
ネットワークデバイスによって、第2のアクセスネットワーク識別子を用いてダウンリンクチャネルリソースをスケジュールするステップと、ダウンリンクチャネルリソースを用いて第1のアクセスネットワーク識別子をUEに送信するステップとを含んでいてもよい。
【０１６２】
任意選択的に、方法は以下をさらに含む。
【０１６３】
ステップ303：第2のアクセスネットワーク識別子が使用されていない場合、ネットワークデバイスは、第2のアクセスネットワーク識別子に従ってUEにリソースを割り当てる。
【０１６４】
すなわち、第2のアクセスネットワーク識別子が使用されていない、すなわち第2のアクセスネットワーク識別子が有効である場合、ネットワークデバイスは、アクセスネットワーク識別子をUEに再割り当てする必要はなく、第2のアクセスネットワーク識別子に従ってUEにリソースを割り当て、UEを直接スケジュールするだけでよい。
【０１６５】
本実施形態はランダムアクセス方法をさらに提供する。割り当てられたUEの第2のアクセスネットワーク識別子が判定され、次いで第2のアクセスネットワーク識別子が使用されている場合、アクセスネットワーク識別子はUEに再割り当てされ、又は、第2のアクセスネットワーク識別子が使用されていない場合、UEは第2のアクセスネットワーク識別子に従って直接スケジュールされる。異なるシナリオに対するランダムアクセス方法の適用性を保証するために、複数の適用シナリオに使用される複数の実装ソリューションが提供される。
【０１６６】
実施形態4
本発明の本実施形態は、ランダムアクセス方法をさらに提供する。図4は、本発明の実施形態4に係るランダムアクセス方法のフローチャートである。
【０１６７】
方法は、実施形態1又は実施形態2に基づく。あるいは、UEでセルハンドオーバが行われ、UEに第3のアクセスネットワーク識別子が既に割り当てられている場合、識別情報は第3のアクセスネットワーク識別子を含む。第3のアクセスネットワーク識別子は、ネットワークデバイスが位置するセルを除く別のセルのネットワークデバイスによってUEに割り当てられた識別子を含む。
【０１６８】
図4に示すように、ネットワークデバイスが識別情報に従って第1のアクセスネットワーク識別子をUEに割り当てる前述のステップ101の前に、本方法は以下をさらに含む。
【０１６９】
ステップ401：ネットワークデバイスは、第3のアクセスネットワーク識別子が使用されているかどうかを判定する。
【０１７０】
それに対応して、前述の実施形態の解決方法において、ネットワークデバイスが第1のアクセスネットワーク識別子をUEに送信するステップ103は、以下を含む。
【０１７１】
ステップ402：ネットワークデバイスは、第3のアクセスネットワーク識別子の異なる判定結果に従って異なる方法で、第1のアクセスネットワーク識別子をUEに送信する。
【０１７２】
具体的には、第3のアクセスネットワーク識別子が使用されているかどうかにかかわらず、UEでセルハンドオーバが行われる場合、ネットワークデバイスは、第1のアクセスネットワーク識別子をUEに再割当てする必要がある。差異は、ネットワークデバイスによって第1のアクセスネットワーク識別子をUEに送信する方法が異なることのみである。
【０１７３】
さらに、上記実施形態の解決方法において、ネットワークデバイスが、第3のアクセスネットワーク識別子の異なる判定結果に従って異なる方法で、第1のアクセスネットワーク識別子をUEに送信するステップ402は、
第3のアクセスネットワーク識別子が使用されている場合、ネットワークデバイスによって、アップリンクチャネルリソースの時間‐周波数位置に対応するRA-RNTIを用いてダウンリンクチャネルリソースをスケジュールするステップと、ダウンリンクチャネルリソースを用いてUEに第1のアクセスネットワーク識別子を送信するステップとを含む。
【０１７４】
任意選択的に、前述の実施形態の解決方法では、ネットワークデバイスが、第3のアクセスネットワーク識別子の異なる判定結果に従って異なる方法で、第1のアクセスネットワーク識別子をUEに送信するステップ402は、具体的には、
第3のアクセスネットワーク識別子が使用されていない場合、ネットワークデバイスによって、第3のアクセスネットワーク識別子を用いてダウンリンクチャネルリソースをスケジュールするステップと、ダウンリンクチャネルリソースを用いて第1のアクセスネットワーク識別子をUEに送信するステップとを含む。
【０１７５】
本実施形態において提供されるランダムアクセス方法では、セルハンドオーバが行われたUEが所持する第3のアクセスネットワーク識別子が判定された後、ネットワークデバイスによってUEに割り当てられた第1のアクセスネットワーク識別子は、異なる判定結果に従って異なる方法で、UEに送信される。異なるシナリオに対するランダムアクセス方法の適用性をより確実にするために、複数の実装ソリューションがさらに提供される。
【０１７６】
実施形態5
実施形態5はランダムアクセス方法を提供する。方法は、UEによって実行されてもよい。図5は、本発明の実施形態5に係るランダムアクセス方法のフローチャートである。図5に示すように、方法は、具体的には、以下のステップを含むことができる。
【０１７７】
ステップ501：UEは、アクセス状況に応じてネットワークデバイスに識別情報を送信する。
【０１７８】
ステップ502：UEは、ネットワークデバイスによって送信された第1のアクセスネットワーク識別子を受信し、第1のアクセスネットワーク識別子は、識別情報に従ってネットワークデバイスによってUEに割り当てられたアクセスネットワーク識別子であり、第1のアクセスネットワーク識別子は、ネットワークデバイスがUEにリソースを割り当てるために使用される。
【０１７９】
任意選択的に、UEがアクセス状況に従ってネットワークデバイスに識別情報を送信する前述のステップ501は、
UEによって、アップリンクチャネルリソースを用いて、アクセス状況に応じて、ネットワークデバイスに識別情報を送信するステップを含んでいてもよい。
【０１８０】
さらに、前述の解決方法において、アップリンクチャネルリソースは、ランダムアクセスのために使用される時間‐周波数リソースを含む。
【０１８１】
さらに、方法は、
UEによって、アップリンクチャネルリソースを用いて、ネットワークデバイスにBSR情報を送信するステップであって、BSR情報は、ネットワークデバイスが識別情報を参照して第1のアクセスネットワーク識別子をUEに割り当てるために使用される、ステップをさらに含んでいてもよい。
【０１８２】
BSR情報には、UEの送信予定データのサイズが含まれる。
【０１８３】
任意選択的に、方法は、
UEがアップリンクチャネルリソースを用いてネットワークデバイスに接続確立原因情報を送信するステップをさらに含んでいてもよい。
【０１８４】
任意選択的に、第1のアクセスネットワーク識別子はC-RNTIを含む。
【０１８５】
あるいは、前述の解決方法において、ネットワークデバイスによって送信された第1のアクセスネットワーク識別子をUEが受信するステップ502は、
PDSCHを用いてネットワークデバイスによって送信された第1のアクセスネットワーク識別子及び識別情報をUEが受信するステップと、
識別情報に従ってPDSCHからの第1のアクセスネットワーク識別子をUEが判定するステップと
を含んでいてもよい。
【０１８６】
さらに、UEによって、識別情報に従ってPDSCHからの第1のアクセスネットワーク識別子を判定する前に、方法は、UEによって、PDSCHのスケジューリング情報であり、かつDCIを用いてネットワークデバイスによって送信されるスケジューリング情報を受信するステップであって、スケジューリング情報がUEに対応する時間‐周波数リソース位置を含む、ステップをさらに含む。
【０１８７】
それに対応して、UEによって、識別情報に従ってPDSCHからの第1のアクセスネットワーク識別子を判定するステップは、
UEによって、識別情報及びUEに対応する時間‐周波数リソース位置に従ってPDSCHからの第1のアクセスネットワーク識別子を判定するステップを含む。
【０１８８】
任意選択的に、アクセスネットワーク識別子又はコアネットワーク識別子がUEに割り当てられていないか、又はUEに既に割り当てられている識別子が無効である場合、識別情報は、UEによって選択された乱数列を含む。
【０１８９】
あるいは、UEがアイドル状態にあり、コアネットワーク識別子が既にUEに割り当てられている場合、識別情報は、UEのコアネットワーク識別子を含むことができる。
【０１９０】
任意選択的に、UEのコアネットワーク識別子は、MMEによってUEに割り当てられた一時的なモバイル加入者識別情報を含むことができる。
【０１９１】
あるいは、第2のアクセスネットワーク識別子が既にUEに割り当てられており、第2のアクセスネットワーク識別子が使用されていない場合、識別情報は、第2のアクセスネットワーク識別子を含む。第2のアクセスネットワーク識別子はC-RNTIである。
【０１９２】
さらに、前述の解決方法に基づいて、ネットワークデバイスによって送信された第1のアクセスネットワーク識別子をUEが受信するステップ502は、
アップリンクチャネルリソースの時間‐周波数位置に対応するRA-RNTIを用いてスケジュールされたダウンリンクチャネルリソースを用いてネットワークデバイスによって送信される第1のアクセスネットワーク識別子及び第2のアクセスネットワーク識別子を、UEが受信するステップを含んでいてもよい。
【０１９３】
あるいは、ネットワークデバイスによって送信された第1のアクセスネットワーク識別子をUEが受信するステップ502は、
第2のアクセスネットワーク識別子を用いてスケジュールされたダウンリンクチャネルリソースを用いてネットワークデバイスによって送信された第1のアクセスネットワーク識別子を、UEが受信するステップを含んでいてもよい。
【０１９４】
任意選択的に、UEでセルハンドオーバが行われ、UEに第3のアクセスネットワーク識別子が既に割り当てられている場合、識別情報は、第3のアクセスネットワーク識別子を含む。第3のアクセスネットワーク識別子は、ネットワークデバイスが位置するセルを除く別のセルのネットワークデバイスによってUEに割り当てられた識別子を含む。
【０１９５】
それに対応して、ネットワークデバイスによって送信された第1のアクセスネットワーク識別子をUEが受信するステップ502は、
第3のアクセスネットワーク識別子の異なる判定結果に従って異なる方法でネットワークデバイスによって送信された第1のアクセスネットワーク識別子を、UEが受信するステップを含んでいてもよい。
【０１９６】
任意選択的に、前述の解決方法では、第3のアクセスネットワーク識別子の異なる判定結果に従って異なる方法でネットワークデバイスによって送信された第1のアクセスネットワーク識別子をUEが受信するステップは、
第3のアクセスネットワーク識別子が使用されている場合、アップリンクチャネルリソースの時間‐周波数位置に対応するRA-RNTIを用いてスケジュールされたダウンリンクチャネルリソースを用いてネットワークデバイスによって送信された第1のアクセスネットワーク識別子を、UEが受信するステップを含む。
【０１９７】
あるいは、第3のアクセスネットワーク識別子の異なる判定結果に従って異なる方法でネットワークデバイスによって送信された第1のアクセスネットワーク識別子をUEが受信するステップは、
第3のアクセスネットワーク識別子が使用されていない場合、第3のアクセスネットワーク識別子を用いてスケジュールされたダウンリンクチャネルリソースを用いてネットワークデバイスによって送信された第1のアクセスネットワーク識別子を、UEが受信するステップを含んでいてもよい。
【０１９８】
本発明の実施形態において提供されるランダムアクセス方法は、実施形態1から実施形態4に記載のランダムアクセス方法のいずれか1つに対応するUE側の方法である。UEがアクセス状況に応じてネットワークデバイスに識別情報を送信し、識別情報に従ってネットワークデバイスによって送信された第1のアクセスネットワーク識別子を受信することにより、ネットワークデバイスは、第1のアクセスネットワーク識別子に従って直接UEにリソースを割り当てることができ、UEは、ネットワークデバイスにアクセスするためのプリアンブルシーケンスソリューションを実行する必要がない。したがって、UEによってネットワークデバイスにアクセスするために使用されるリソースは減少し、シグナリングオーバーヘッドは減少する。
【０１９９】
加えて、本発明の本実施形態では、UEは、ネットワークデバイスによって送信された、受信した識別情報及びUEに対応する受信した時間‐周波数リソース位置に従って、ネットワークデバイスによって送信されたPDSCHからのUEに対応する第1のアクセスネットワーク識別子をさらに正確に判定することができるため、他のUEが受信したアクセスネットワーク識別子との競合及び衝突の問題を回避することができる。加えて、UEの複数のアクセス状況に対応する識別情報は、例を用いてさらに説明されて、異なるシナリオに対する解決方法の適用性を確実にする。
【０２００】
実施形態6
本発明の実施形態6はランダムアクセス方法をさらに提供する。本実施形態は、特定の事例を用いて、前述の実施形態の解決方法の解説及び説明を提供する。図6は、本発明の実施形態6に係るランダムアクセス方法のフローチャートである。図6に示すように、方法は以下のステップを含む。
【０２０１】
ステップ601：アクセスネットワーク識別子又はコアネットワーク識別子がUEに割り当てられていないか、又はUEに既に割り当てられている識別子が無効である場合、UEは識別情報として乱数列を選択する。
【０２０２】
ステップ602：UEは、ランダムアクセス時間‐周波数リソースを用いて、識別情報、BSR情報及び接続確立原因情報をネットワークデバイスに送信する。
【０２０３】
ステップ603：ネットワークデバイスは、識別情報に従って第1のアクセスネットワーク識別子をUEに割り当てる。
【０２０４】
第1のアクセスネットワーク識別子はC-RNTIを含む。
【０２０５】
ステップ604：ネットワークデバイスは、PDSCHを用いて第1のアクセスネットワーク識別子及び識別情報をUEに送信する。
【０２０６】
ステップ605：ネットワークデバイスは、DCIを用いてPDSCHのスケジューリング情報をUEに送信し、スケジューリング情報は、UEに対応する時間‐周波数リソース位置を含む。
【０２０７】
なお、ステップ604とステップ605との間に絶対時間シーケンスは存在せず、ステップ604及びステップ605は順番に実行されてもよく、同時に実行されてもよい。これは本明細書に限定されない。
【０２０８】
ステップ606：UEは、識別情報及びUEに対応する時間‐周波数リソース位置に従って、PDSCHからの第1のアクセスネットワーク識別子を判定する。
【０２０９】
あるいは、UEがアイドル状態にあり、コアネットワーク識別子が既にUEに割り当てられている場合、ステップ601のみを適応的に調整する必要があり、他のステップは、前述の解決方法のものと同様である。調整されたステップは、
【０２１０】
UEがアイドル状態にあり、コアネットワーク識別子が既にUEに割り当てられている場合、UEは、識別情報としてコアネットワーク識別子を使用する。
【０２１１】
任意選択的に、コアネットワーク識別子は、MMEによってUEに割り当てられた一時的なモバイル加入者識別情報を含む。
【０２１２】
ステップ607：ネットワークデバイスは、第1のアクセスネットワーク識別子に従ってUEにリソースを割り当て、第1のアクセスネットワーク識別子に従ってUEをスケジュールする。
【０２１３】
本発明の本実施形態では、アクセスネットワーク識別子又はコアネットワーク識別子がUEに割り当てられていないか、又はUEに既に割り当てられている識別子が無効である場合、UEがネットワークデバイスにアクセスするためのランダムアクセス方法が提供されるため、アクセスネットワーク識別子又はコアネットワーク識別子がUEに割り当てられていないか、又はUEに既に割り当てられている識別子が無効である場合、UEがネットワークデバイスにアクセスするために使用されるリソースを削減することができる。
【０２１４】
実施形態6は別のランダムアクセス方法をさらに提供する。図7は、本発明の実施形態6に係る別のランダムアクセス方法のフローチャートである。図7に示すように、本方法は以下のステップを含む。
【０２１５】
ステップ701：第2のアクセスネットワーク識別子が、ネットワークデバイスによってUEに既に割り当てられている場合、UEは、第2のアクセスネットワーク識別子を識別情報として使用する。
【０２１６】
第2のアクセスネットワーク識別子は、ランダムアクセス方法の前にネットワークデバイスによって割り当てられたC-RNTIであってもよい。
【０２１７】
ステップ702：UEは、ランダムアクセス時間‐周波数リソースを用いて、識別情報、BSR情報及び接続確立原因情報をネットワークデバイスに送信する。
【０２１８】
ステップ703：ネットワークデバイスは、第2のアクセスネットワーク識別子が使用されているかどうかを判定する。
【０２１９】
第2のアクセスネットワーク識別子が使用されている場合、ステップ704からステップ706が実行され、又は、第2のアクセスネットワーク識別子が使用されていない場合、ステップ707が実行される。
【０２２０】
ステップ704：第2のアクセスネットワーク識別子が使用されている場合、ネットワークデバイスは、第1のアクセスネットワーク識別子をUEに割り当てる。
【０２２１】
ステップ705：ネットワークデバイスは、ランダムアクセス時間‐周波数リソースの時間‐周波数位置に対応するRA-RNTIを用いてダウンリンクチャネルリソースをスケジュールし、ダウンリンクチャネルリソースを用いて第1のアクセスネットワーク識別子及び第2のアクセスネットワーク識別子をUEに送信する。
【０２２２】
あるいは、ネットワークデバイスが第1のアクセスネットワーク識別子をUEに送信するステップ705は、ネットワークデバイスが、第2のアクセスネットワーク識別子を用いてダウンリンクチャネルリソースをスケジュールし、ダウンリンクチャネルリソースを用いて第1のアクセスネットワーク識別子をUEに送信してもよい。
【０２２３】
ステップ706：ネットワークデバイスは、第1のアクセスネットワーク識別子に従ってUEにリソースを割り当て、第1のアクセスネットワーク識別子に従ってUEをスケジュールする。
【０２２４】
ステップ707：第2のアクセスネットワーク識別子が使用されていない場合、ネットワークデバイスは、第2のアクセスネットワーク識別子に従ってUEにリソースを割り当て、第2のアクセスネットワーク識別子に従ってUEをスケジュールする。
【０２２５】
本発明の本実施形態では、ネットワークデバイスによってアクセスネットワーク識別子が既に割り当てられているUEによって、ネットワークデバイスにアクセスするためのランダムアクセス方法がさらに提供されてもよく、その結果、ネットワークデバイスによって既にアクセスネットワーク識別子を割り当てられているUEが、ネットワークデバイスにアクセスするために使用するリソースを削減することができる。
【０２２６】
実施形態6は別のランダムアクセス方法をさらに提供する。図8は、本発明の実施形態6に係るさらに別のランダムアクセス方法のフローチャートである。図8に示すように、方法は以下のステップを含むことができる。
【０２２７】
ステップ801：第3のアクセスネットワーク識別子が別のネットワークデバイスによって既にUEに割り当てられている場合、UEは、第3のアクセスネットワーク識別子を識別情報として使用する。
【０２２８】
第3のアクセスネットワーク識別子は、別のネットワークデバイス、すなわちUEでセルハンドオーバが行われる前のネットワークデバイスによるランダムアクセス方法の前に割り当てられたC-RNTIであってもよい。
【０２２９】
ステップ802：UEは、ランダムアクセス時間‐周波数リソースを用いて、識別情報、BSR情報及び接続確立原因情報をネットワークデバイスに送信する。
【０２３０】
ステップ803：ネットワークデバイスは、第1のアクセスネットワーク識別子をUEに割り当てる。
【０２３１】
ステップ804：ネットワークデバイスは、第3のアクセスネットワーク識別子が使用されているかどうかを判定する。
【０２３２】
第3のアクセスネットワーク識別子が使用されている場合、ステップ805及びステップ807が実行され、又は、第3のアクセスネットワーク識別子が使用されていない場合、ステップ806及びステップ807が実行される。
【０２３３】
なお、前述のステップ803及びステップ804は、同時に実行されてもよいし、又は順番に実行されてもよい。これは本明細書に限定されない。
【０２３４】
ステップ805：第3のアクセスネットワーク識別子が使用されている場合、ネットワークデバイスは、ランダムアクセス時間‐周波数リソースの時間‐周波数位置に対応するRA-RNTIを用いてダウンリンクチャネルリソースをスケジュールし、ダウンリンクチャネルリソースを用いて第1のアクセスネットワーク識別子をUEに送信する。
【０２３５】
ステップ806：第3のアクセスネットワーク識別子が使用されていない場合、ネットワークデバイスは、第3のアクセスネットワーク識別子を用いてダウンリンクチャネルリソースをスケジュールし、ダウンリンクチャネルリソースを用いて第1のアクセスネットワーク識別子をUEに送信する。
【０２３６】
ステップ807：ネットワークデバイスは、第1のアクセスネットワーク識別子に従ってUEにリソースを割り当て、第1のアクセスネットワーク識別子に従ってUEをスケジュールする。
【０２３７】
本発明の本実施形態では、別のネットワークデバイスによってアクセスネットワーク識別子が既に割り当てられているUEが、ネットワークデバイスにアクセスするためのランダムアクセス方法をさらに提供することができ、その結果、別のネットワークデバイスによってアクセスネットワーク識別子が既に割り当てられているUEが、ネットワークデバイスにアクセスするために使用するリソースを削減することができる。
【０２３８】
本発明の本実施形態では、複数のアクセス状況においてUEがネットワークデバイスにアクセスする事例を用いて、前述の実施形態の解決方法の解説及び説明を提供する。複数のアクセス状況において、UEがネットワークデバイスにアクセスするために使用するリソースを削減することができ、シグナリングオーバーヘッドを削減することができる。
【０２３９】
実施形態7
本発明の実施形態7はネットワークデバイスをさらに提供する。本発明の実施形態7で提供されるネットワークデバイスは、実施形態1から実施形態4で提供されるランダムアクセス方法のいずれかを実行してもよい。図9は、本発明の実施形態7に係るネットワークデバイスの概略構成図である。
【０２４０】
図9に示すように、ネットワークデバイス900は、受信モジュール901と、割当てモジュール902と、送信モジュール903とを含む。受信モジュール901と、割当てモジュール902と、送信モジュール903とは連続的に接続されている。
【０２４１】
受信モジュール901は、アクセス状況に応じてUEによって送信された識別情報を受信し、その識別情報を割当てモジュール902に送信するように構成されている。
【０２４２】
割当てモジュール902は、識別情報に従って第1のアクセスネットワーク識別子をUEに割り当て、第1のアクセスネットワーク識別子を送信モジュール903に送信するように構成されている。
【０２４３】
送信モジュール903は、第1のアクセスネットワーク識別子をUEに送信するように構成されている。
【０２４４】
割当てモジュール902は、第1のアクセスネットワーク識別子に従ってUEにリソースを割り当てるようにさらに構成されている。
【０２４５】
任意選択的に、受信モジュール901は、アップリンクチャネルリソースを用いてアクセス状況に応じてUEによって送信された識別情報を受信するようにさらに構成される。
【０２４６】
さらに、アップリンクチャネルリソースは、ランダムアクセスのために使用される時間‐周波数リソースを含む。
【０２４７】
さらに、受信モジュール901は、アップリンクチャネルリソースを用いてUEによって送信されたBSR情報を受信し、BSR情報を割当てモジュール902に送信するようにさらに構成されている。BSR情報には、UEの送信予定データのサイズが含まれる。
【０２４８】
それに対応して、割当てモジュール902は、識別情報及びBSR情報に従って、第1のアクセスネットワーク識別子をUEに割り当てるようにさらに構成される。
【０２４９】
前述のネットワークデバイスのいずれかに基づいて、受信モジュール901は、アップリンクチャネルリソースを用いてUEによって送信された接続確立原因情報を受信するようにさらに構成されている。
【０２５０】
任意選択的に、前述の第1のアクセスネットワーク識別子は、C-RNTIを含む。
【０２５１】
前述のネットワークデバイスにおいて、送信モジュール903は、PDSCHを用いて第1のアクセスネットワーク識別子及び識別情報をUEに送信するようにさらに構成されている。識別情報は、UEがPDSCHからの第1のアクセスネットワーク識別子を判定するために使用される。
【０２５２】
さらに、送信モジュール903は、DCIを用いてPDSCHのスケジューリング情報をUEに送信するようにさらに構成されている。スケジューリング情報は、UEに対応する時間‐周波数リソース位置を含み、UEに対応する時間‐周波数リソース位置は、UEが識別情報を参照してPDSCHからの第1のアクセスネットワーク識別子を判定するために使用される。
【０２５３】
さらに、前述のネットワークデバイスのいずれかに基づいて、アクセスネットワーク識別子又はコアネットワーク識別子がUEに割り当てられていないか、又はUEに既に割り当てられている識別子が無効である場合、受信モジュール901によって受信された識別情報は、UEによって選択された乱数列を含む。
【０２５４】
あるいは、UEがアイドル状態にあり、コアネットワーク識別子が既にUEに割り当てられている場合、受信モジュール901によって受信された識別情報は、UEのコアネットワーク識別子を含む。
【０２５５】
任意選択的に、UEの前述のコアネットワーク識別子は、MMEによってUEに割り当てられた一時的なモバイル加入者識別情報を含む。
【０２５６】
あるいは、第2のアクセスネットワーク識別子が既にUEに割り当てられている場合、受信モジュール901によって受信された識別情報は、第2のアクセスネットワーク識別子を含む。第2のアクセスネットワーク識別子はC-RNTIである。
【０２５７】
ネットワークデバイス900は、第1の判定モジュールをさらに含み、第1の判定モジュールは、受信モジュール901及び割当てモジュール902に接続される。
【０２５８】
第1の判定モジュールは、割当てモジュール902が識別情報に従って第1のアクセスネットワーク識別子をUEに割り当てる前に、第2のアクセスネットワーク識別子が使用されているかどうかを判定し、第2のアクセスネットワーク識別子の判定結果を割当てモジュール902に送信する。
【０２５９】
それに対応して、割当てモジュール902は、第2のアクセスネットワーク識別子が使用されている場合、第1のアクセスネットワーク識別子をUEに割り当てるようにさらに構成される。
【０２６０】
さらに、ネットワークデバイス900は、第1のスケジューリングモジュールをさらに含み、第1のスケジューリングモジュールは、割当てモジュール902及び送信モジュール903に接続される。
【０２６１】
第1のスケジューリングモジュールは、アップリンクチャネルリソースの時間‐周波数位置に対応するRA-RNTIを用いてダウンリンクチャネルリソースをスケジュールするように構成されている。
【０２６２】
送信モジュール903は、ダウンリンクチャネルリソースを用いて第1のアクセスネットワーク識別子及び第2のアクセスネットワーク識別子をUEに送信するようにさらに構成されている。
【０２６３】
あるいは、ネットワークデバイス900は、第2のスケジューリングモジュールをさらに含み、第2のスケジューリングモジュールは、割当てモジュール902及び送信モジュール903に接続されている。
【０２６４】
第2のスケジューリングモジュールは、第2のアクセスネットワーク識別子を用いてダウンリンクチャネルリソースをスケジュールするように構成されている。
【０２６５】
送信モジュール903は、ダウンリンクチャネルリソースを用いて第1のアクセスネットワーク識別子をUEに送信するようにさらに構成されている。
【０２６６】
任意選択的に、割当てモジュール902は、第2のアクセスネットワーク識別子が使用されていない場合、第2のアクセスネットワーク識別子に従ってUEにリソースを割り当てるようにさらに構成される。
【０２６７】
あるいは、UEでセルハンドオーバが行われ、UEに第3のアクセスネットワーク識別子が既に割り当てられている場合、受信モジュール901によって受信された識別情報は、第3のアクセスネットワーク識別子を含む。第3のアクセスネットワーク識別子は、ネットワークデバイスが位置するセルを除く別のセルのネットワークデバイスによってUEに割り当てられた識別子を含む。
【０２６８】
ネットワークデバイス900は、第2の判定モジュールをさらに含み、第2の判定モジュールは、受信モジュール901及び割当てモジュール902に接続される。
【０２６９】
第2の判定モジュールは、割当てモジュール902が識別情報に従って第1のアクセスネットワーク識別子をUEに割り当てる前に、第3のアクセスネットワーク識別子が使用されているかどうかを判定し、第3のアクセスネットワーク識別子の判定結果を割当てモジュール902に送信する。
【０２７０】
それに対応して、送信モジュール903は、第3のアクセスネットワーク識別子の異なる判定結果に従って異なる方法で、第1のアクセスネットワーク識別子をUEに送信するようにさらに構成される。
【０２７１】
任意選択的に、ネットワークデバイス900は、第3のスケジューリングモジュールをさらに含み、第3のスケジューリングモジュールは、割当てモジュール902及び送信モジュール903に接続される。
【０２７２】
第3のスケジューリングモジュールは、第3のアクセスネットワーク識別子が使用されている場合、アップリンクチャネルリソースの時間‐周波数位置に対応するRA-RNTIを用いてダウンリンクチャネルリソースをスケジュールするように構成されている。
【０２７３】
送信モジュール903は、ダウンリンクチャネルリソースを用いて第1のアクセスネットワーク識別子をUEに送信するようにさらに構成されている。
【０２７４】
あるいは、ネットワークデバイス900は、第4のスケジューリングモジュールをさらに含み、第4のスケジューリングモジュールは、割当てモジュール902及び送信モジュール903に接続される。
【０２７５】
第4のスケジューリングモジュールは、第3のアクセスネットワーク識別子が使用されていない場合、第3のアクセスネットワーク識別子を用いてダウンリンクチャネルリソースをスケジュールするように構成されている。
【０２７６】
送信モジュール903は、ダウンリンクチャネルリソースを用いて第1のアクセスネットワーク識別子をUEに送信するようにさらに構成されている。
【０２７７】
本発明の本実施形態において提供されるネットワークデバイスは、実施形態1から実施形態4のランダムアクセス方法のいずれかを実行してもよい。ネットワークデバイスは、アクセス状況に応じてUEによって送信された、受信した識別情報に従って、第1のアクセスネットワーク識別子をUEに割り当て、第1のアクセスネットワーク識別子をUEに送信し、割り当てられた第1のアクセスネットワーク識別子に従ってUEにリソースを割り当てるだけでよく、その結果、UEがネットワークデバイスにアクセスするために使用するリソースを削減することができ、シグナリングオーバーヘッドを削減することができる。
【０２７８】
実施形態8
本発明の実施形態8はUEをさらに提供する。本発明の実施形態8で提供されるUEは、実施形態5で提供されるランダムアクセス方法を実行してもよい。図10は、本発明の実施形態8に係るUEの概略構成図である。
【０２７９】
図10に示すように、UE1000は、送信モジュール1001と受信モジュール1002とを含む。送信モジュール1001と受信モジュール1002とは接続されている。送信モジュール1001及び受信モジュール1002は共にネットワークデバイスに接続されている。
【０２８０】
送信モジュール1001は、アクセス状況に応じて、ネットワークデバイスに識別情報を送信するように構成されている。
【０２８１】
受信モジュール1002は、ネットワークデバイスによって送信された第1のアクセスネットワーク識別子を受信するように構成されている。第1のアクセスネットワーク識別子は、識別情報に従ってネットワークデバイスによってUEに割り当てられたアクセスネットワーク識別子であり、第1のアクセスネットワーク識別子は、ネットワークデバイスがUEにリソースを割り当てるために使用される。
【０２８２】
さらに、送信モジュール1001は、アップリンクチャネルリソースを用いて、アクセス状況に応じて、識別情報をネットワークデバイスに送信するように構成されている。
【０２８３】
任意選択的に、アップリンクチャネルリソースは、ランダムアクセスのために使用される時間‐周波数リソースを含む。
【０２８４】
任意選択的に、送信モジュール1001は、アップリンクチャネルリソースを用いてBSR情報をネットワークデバイスに送信するようにさらに構成される。BSR情報は、ネットワークデバイスが識別情報を参照して第1のアクセスネットワーク識別子をUEに割り当てるために使用される。BSR情報には、UEの送信予定データのサイズが含まれる。
【０２８５】
さらに、送信モジュール1001は、アップリンクチャネルリソースを用いてネットワークデバイスに接続確立原因情報を送信するようにさらに構成されている。
【０２８６】
任意選択的に、前述の受信モジュール1002によって受信された第1のアクセスネットワーク識別子は、C-RNTIを含む。
【０２８７】
上記UEにおいて、UE1000は、判定モジュールをさらに含み、判定モジュールと受信モジュール1002とは接続されている。
【０２８８】
受信モジュール1002は、PDSCHを用いてネットワークデバイスによって送信された第1のアクセスネットワーク識別子及び識別情報を受信し、またPDSCH及び識別情報を判定モジュールに送信するようにさらに構成されている。
【０２８９】
判定モジュールは、識別情報に従って、PDSCHからの第1のアクセスネットワーク識別子を判定するように構成されている。
【０２９０】
任意選択的に、受信モジュール1002は、判定モジュールがPDSCHからの第1のアクセスネットワーク識別子を判定する前に、PDSCHのスケジューリング情報であり、かつDCIを用いてネットワークデバイスによって送信されたスケジューリング情報を受信し、また判定モジュールにスケジューリング情報を送信するようにさらに構成される。スケジューリング情報は、UEに対応する時間‐周波数リソース位置を含む。
【０２９１】
判定モジュールは、識別情報及びUEに対応する時間‐周波数リソース位置に従って、PDSCHからの第1のアクセスネットワーク識別子を判定するようにさらに構成されている。
【０２９２】
さらに、アクセスネットワーク識別子又はコアネットワーク識別子がUEに割り当てられていないか、又はUEに既に割り当てられている識別子が無効である場合、識別情報は、UEによって選択された乱数列を含む。
【０２９３】
あるいは、UEがアイドル状態にあり、コアネットワーク識別子が既にUEに割り当てられている場合、識別情報は、UEのコアネットワーク識別子を含む。
【０２９４】
任意選択的に、UEのコアネットワーク識別子は、MMEによってUEに割り当てられた一時的なモバイル加入者識別情報を含む。
【０２９５】
あるいは、第2のアクセスネットワーク識別子が既にUEに割り当てられており、第2のアクセスネットワーク識別子が使用されていない場合、識別情報は、第2のアクセスネットワーク識別子を含む。第2のアクセスネットワーク識別子はC-RNTIである。
【０２９６】
さらに、受信モジュール1002は、アップリンクチャネルリソースの時間‐周波数位置に対応するRA-RNTIを用いてスケジュールされたダウンリンクチャネルリソースを用いてネットワークデバイスによって送信される、第1のアクセスネットワーク識別子及び第2のアクセスネットワーク識別子を受信するようにさらに構成されている。
【０２９７】
あるいは、受信モジュール1002は、第2のアクセスネットワーク識別子を用いてスケジュールされたダウンリンクチャネルリソースを用いてネットワークデバイスによって送信された第1のアクセスネットワーク識別子を受信するようにさらに構成されている。
【０２９８】
あるいは、UEでセルハンドオーバが行われ、UEに第3のアクセスネットワーク識別子が既に割り当てられている場合、識別情報は第3のアクセスネットワーク識別子を含む。第3のアクセスネットワーク識別子は、ネットワークデバイスが位置するセルを除く別のセルのネットワークデバイスによってUEに割り当てられた識別子を含む。
【０２９９】
受信モジュール1002は、第3のアクセスネットワーク識別子の異なる判定結果に従って異なる方法でネットワークデバイスによって送信された第1のアクセスネットワーク識別子を受信するようにさらに構成されている。
【０３００】
任意選択的に、受信モジュール1002は、第3のアクセスネットワーク識別子が使用されている場合、アップリンクチャネルリソースの時間‐周波数位置に対応するRA-RNTIを用いてスケジュールされたダウンリンクチャネルリソースを用いてネットワークデバイスによって送信された第1のアクセスネットワーク識別子を受信するようにさらに構成される。
【０３０１】
あるいは、受信モジュール1002は、第3のアクセスネットワーク識別子が使用されていない場合、第3のアクセスネットワーク識別子を用いてスケジュールされたダウンリンクチャネルリソースを用いてネットワークデバイスによって送信された第1のアクセスネットワーク識別子を受信するようにさらに構成される。
【０３０２】
本発明の実施形態で提供されるUEは、UEによって実行される、実施形態5で提供されるランダムアクセス方法を実行することができる。UEが、アクセス状況に応じてネットワークデバイスに識別情報を送信し、識別情報に従ってネットワークデバイスによって送信された第1のアクセスネットワーク識別子を受信することにより、ネットワークデバイスは、第1のアクセスネットワーク識別子に従って直接UEにリソースを割り当てることができ、UEは、ネットワークデバイスにアクセスするためにプリアンブルシーケンスソリューションを実行する必要がない。したがって、UEによってネットワークデバイスにアクセスするために使用されるリソースは減少し、シグナリングオーバーヘッドは減少する。
【０３０３】
実施形態9
本発明の実施形態9はネットワークデバイスをさらに提供する。本発明の実施形態9で提供されるネットワークデバイスは、実施形態1から実施形態4で提供されるランダムアクセス方法のいずれかを実行してもよい。図11は、本発明の実施形態9に係るネットワークデバイスの概略構成図である。
【０３０４】
図11に示すように、ネットワークデバイス1100は、受信機1101と、プロセッサ1102と、送信機1103とを含む。受信機1101と、プロセッサ1102と、送信機1103とは連続的に接続されている。
【０３０５】
受信機1101は、アクセス状況に応じてUEによって送信された識別情報を受信し、またプロセッサ1102に識別情報を送信するように構成されている。
【０３０６】
プロセッサ1102は、識別情報に従って第1のアクセスネットワーク識別子をUEに割り当て、また第1のアクセスネットワーク識別子を送信機1103に送信するように構成されている。
【０３０７】
送信機1103は、第1のアクセスネットワーク識別子をUEに送信するように構成されている。
【０３０８】
プロセッサ1102は、第1のアクセスネットワーク識別子に従って、UEにリソースを割り当てるようにさらに構成されている。
【０３０９】
さらに、前述の受信機1101は、アップリンクチャネルリソースを用いてアクセス状況に応じてUEによって送信された識別情報を受信するように構成されている。
【０３１０】
任意選択的に、アップリンクチャネルリソースは、ランダムアクセスのために使用される時間‐周波数リソースを含む。
【０３１１】
任意選択的に、受信機1101は、アップリンクチャネルリソースを用いてUEによって送信されたBSR情報を受信し、またBSR情報をプロセッサ1102に送信するようにさらに構成される。BSR情報には、UEの送信予定データのサイズが含まれる。
【０３１２】
それに対応して、プロセッサ1102は、識別情報及びBSR情報に従って、第1のアクセスネットワーク識別子をUEに割り当てるようにさらに構成される。
【０３１３】
さらに、受信機1101は、アップリンクチャネルリソースを用いてUEによって送信された接続確立原因情報を受信するようにさらに構成されている。
【０３１４】
任意選択的に、上記ネットワークデバイスでは、第1のアクセスネットワーク識別子はC-RNTIを含む。
【０３１５】
任意選択的に、送信機1103は、PDSCHを用いて第1のアクセスネットワーク識別子及び識別情報をUEに送信するようにさらに構成されている。識別情報は、UEがPDSCHからの第1のアクセスネットワーク識別子を判定するために使用される。
【０３１６】
任意選択的に、送信機1103は、DCIを用いてPDSCHのスケジューリング情報をUEに送信するようにさらに構成される。スケジューリング情報は、UEに対応する時間‐周波数リソース位置を含み、UEに対応する時間‐周波数リソース位置は、UEが識別情報を参照してPDSCHからの第1のアクセスネットワーク識別子を判定するために使用される。
【０３１７】
さらに、アクセスネットワーク識別子又はコアネットワーク識別子がUEに割り当てられていないか、又はUEに既に割り当てられている識別子が無効である場合、受信機1101によって受信された識別情報は、UEによって選択された乱数列を含む。
【０３１８】
あるいは、UEがアイドル状態にあり、コアネットワーク識別子が既にUEに割り当てられている場合、受信機1101によって受信された識別情報は、UEのコアネットワーク識別子を含む。
【０３１９】
任意選択的に、UEのコアネットワーク識別子は、MMEによってUEに割り当てられた一時的なモバイル加入者識別情報を含む。
【０３２０】
あるいは、第2のアクセスネットワーク識別子が既にUEに割り当てられている場合、受信機1101によって受信された識別情報は、第2のアクセスネットワーク識別子を含む。第2のアクセスネットワーク識別子はC-RNTIである。
【０３２１】
プロセッサ1102は、識別情報に従って第1のアクセスネットワーク識別子をUEに割り当てる前に、第2のアクセスネットワーク識別子が使用されているかどうかを判定し、第2のアクセスネットワーク識別子が使用されている場合、第1のアクセスネットワーク識別子をUEに割り当てるようにさらに構成されている。
【０３２２】
さらに、プロセッサ1102は、アップリンクチャネルリソースの時間‐周波数位置に対応するRA-RNTIを用いて、ダウンリンクチャネルリソースをスケジュールするようにさらに構成されている。
【０３２３】
送信機1103は、ダウンリンクチャネルリソースを用いて第1のアクセスネットワーク識別子及び第2のアクセスネットワーク識別子をUEに送信するようにさらに構成されている。
【０３２４】
あるいは、プロセッサ1102は、第2のアクセスネットワーク識別子を用いてダウンリンクチャネルリソースをスケジュールするようにさらに構成されている。
【０３２５】
送信機1103は、ダウンリンクチャネルリソースを用いて第1のアクセスネットワーク識別子をUEに送信するようにさらに構成されている。
【０３２６】
任意選択的に、プロセッサ1102は、第2のアクセスネットワーク識別子が使用されていない場合、第2のアクセスネットワーク識別子に従ってUEにリソースを割り当てるようにさらに構成される。
【０３２７】
あるいは、UEでセルハンドオーバが行われ、UEに第3のアクセスネットワーク識別子が既に割り当てられている場合、受信機1101によって受信された識別情報は、第3のアクセスネットワーク識別子を含む。第3のアクセスネットワーク識別子は、ネットワークデバイスが位置するセルを除く別のセルのネットワークデバイスによってUEに割り当てられた識別子を含む。
【０３２８】
プロセッサ1102は、識別情報に従って第1のアクセスネットワーク識別子をUEに割り当てる前に、第3のアクセスネットワーク識別子が使用されているかどうかを判定するようにさらに構成されている。
【０３２９】
送信機1103は、第3のアクセスネットワーク識別子の異なる判定結果に従って異なる方法で、第1のアクセスネットワーク識別子をUEに送信するようにさらに構成されている。
【０３３０】
任意選択的に、プロセッサ1102は、第3のアクセスネットワーク識別子が使用されている場合、アップリンクチャネルリソースの時間‐周波数位置に対応するRA-RNTIを用いてダウンリンクチャネルリソースをスケジュールするようにさらに構成される。
【０３３１】
送信機1103は、ダウンリンクチャネルリソースを用いて第1のアクセスネットワーク識別子をUEに送信するようにさらに構成されている。
【０３３２】
あるいは、プロセッサ1102は、第3のアクセスネットワーク識別子が使用されていない場合、第3のアクセスネットワーク識別子を用いてダウンリンクチャネルリソースをスケジュールするようにさらに構成されている。
【０３３３】
送信機1103は、ダウンリンクチャネルリソースを用いて第1のアクセスネットワーク識別子をUEに送信するようにさらに構成されている。
【０３３４】
本発明の本実施形態において提供されるネットワークデバイスは、実施形態1から実施形態4のランダムアクセス方法のいずれかを実行してもよい。ネットワークデバイスは、アクセス状況に応じてUEによって送信された、受信した識別情報に従って、第1のアクセスネットワーク識別子をUEに割り当て、第1のアクセスネットワーク識別子をUEに送信し、割り当てられた第1のアクセスネットワーク識別子に従ってUEにリソースを割り当てるだけでよく、その結果、UEがネットワークデバイスにアクセスするために使用するリソースを削減することができ、シグナリングオーバーヘッドを削減することができる。
【０３３５】
実施形態10
本発明の実施形態10はUEをさらに提供する。図12は、本発明の実施形態10に係るUEの概略構成図である。
【０３３６】
図12に示すように、UE1200は、受信機1201と、プロセッサ1202と、送信機1203とを含む。受信機1201と、プロセッサ1202と、送信機1203とは連続的に接続されている。
【０３３７】
送信機1203は、アクセス状況に応じて、ネットワークデバイスに識別情報を送信するように構成されている。
【０３３８】
受信機1201は、ネットワークデバイスによって送信された第1のアクセスネットワーク識別子を受信するように構成されている。第1のアクセスネットワーク識別子は、識別情報に従ってネットワークデバイスによってUEに割り当てられたアクセスネットワーク識別子であり、第1のアクセスネットワーク識別子は、ネットワークデバイスがUEにリソースを割り当てるために使用される。
【０３３９】
さらに、送信機1203は、アップリンクチャネルリソースを用いてアクセス状況に応じて、識別情報をネットワークデバイスに送信するようにさらに構成されている。
【０３４０】
アップリンクチャネルリソースは、ランダムアクセスのために使用される時間‐周波数リソースを含む。
【０３４１】
任意選択的に、送信機1203は、アップリンクチャネルリソースを用いてBSR情報をネットワークデバイスに送信するようにさらに構成される。BSR情報は、ネットワークデバイスが識別情報を参照して第1のアクセスネットワーク識別子をUEに割り当てるために使用される。BSR情報には、UEの送信予定データのサイズが含まれる。
【０３４２】
さらに、送信機1203は、アップリンクチャネルリソースを用いてネットワークデバイスに接続確立原因情報を送信するようにさらに構成されている。
【０３４３】
上記実施形態の解決方法において、受信機1201によって受信される第1のアクセスネットワーク識別子は、C-RNTIを含む。
【０３４４】
任意選択的に、受信機1201は、PDSCHを用いてネットワークデバイスによって送信された第1のアクセスネットワーク識別子及び識別情報を受信し、PDSCH及び識別情報をプロセッサ1202に送信するようにさらに構成される。
【０３４５】
プロセッサ1202は、識別情報に従って、PDSCHからの第1のアクセスネットワーク識別子を判定するようにさらに構成されている。
【０３４６】
任意選択的に、受信機1201は、プロセッサ1202が識別情報に従ってPDSCHからの第1のアクセスネットワーク識別子を判定する前に、PDSCHのスケジューリング情報であり、かつDCIを用いてネットワークデバイスによって送信されたスケジューリング情報を受信し、またスケジューリング情報をプロセッサ1202に送信するようにさらに構成される。スケジューリング情報は、UEに対応する時間‐周波数リソース位置を含む。
【０３４７】
プロセッサ1202は、識別情報及びUEに対応する時間‐周波数リソース位置に従って、PDSCHからの第1のアクセスネットワーク識別子を判定するようにさらに構成されている。
【０３４８】
さらに、アクセスネットワーク識別子又はコアネットワーク識別子がUEに割り当てられていないか、又はUEに既に割り当てられている識別子が無効である場合、識別情報は、UEによって選択された乱数列を含む。
【０３４９】
あるいは、UEがアイドル状態にあり、コアネットワーク識別子が既にUEに割り当てられている場合、識別情報は、UEのコアネットワーク識別子を含む。
【０３５０】
任意選択的に、UEのコアネットワーク識別子は、MMEによってUEに割り当てられた一時的なモバイル加入者識別情報を含む。
【０３５１】
あるいは、第2のアクセスネットワーク識別子が既にUEに割り当てられており、第2のアクセスネットワーク識別子が使用されていない場合、識別情報は、第2のアクセスネットワーク識別子を含む。第2のアクセスネットワーク識別子はC-RNTIである。
【０３５２】
任意選択的に、受信機1201は、アップリンクチャネルリソースの時間‐周波数位置に対応するRA-RNTIを用いてスケジュールされたダウンリンクチャネルリソースを用いてネットワークデバイスによって送信される、第1のアクセスネットワーク識別子及び第2のアクセスネットワーク識別子を受信するようにさらに構成される。
【０３５３】
あるいは、受信機1201は、第2のアクセスネットワーク識別子を用いてスケジュールされたダウンリンクチャネルリソースを用いてネットワークデバイスによって送信された第1のアクセスネットワーク識別子を受信するようにさらに構成されている。
【０３５４】
あるいは、UEでセルハンドオーバが行われ、UEに第3のアクセスネットワーク識別子が既に割り当てられている場合、識別情報は第3のアクセスネットワーク識別子を含む。第3のアクセスネットワーク識別子は、ネットワークデバイスが位置するセルを除く別のセルのネットワークデバイスによってUEに割り当てられた識別子を含む。
【０３５５】
受信機1201は、第3のアクセスネットワーク識別子の異なる判定結果に従って異なる方法でネットワークデバイスによって送信された第1のアクセスネットワーク識別子を受信するようにさらに構成されている。
【０３５６】
任意選択的に、受信機1201は、第3のアクセスネットワーク識別子が使用される場合、アップリンクチャネルリソースの時間‐周波数位置に対応するRA-RNTIを用いてスケジュールされたダウンリンクチャネルリソースを用いてネットワークデバイスによって送信された第1のアクセスネットワーク識別子を受信するようにさらに構成される。
【０３５７】
あるいは、受信機1201は、第3のアクセスネットワーク識別子が使用されていない場合、第3のアクセスネットワーク識別子を用いてスケジュールされたダウンリンクチャネルリソースを用いてネットワークデバイスによって送信された第1のアクセスネットワーク識別子を受信するようにさらに構成される。
【０３５８】
本発明の実施形態で提供されるUEは、UEによって実行される、実施形態5で提供される任意のランダムアクセス方法を実行することができる。UEが、アクセス状況に応じてネットワークデバイスに識別情報を送信し、識別情報に従ってネットワークデバイスによって送信された第1のアクセスネットワーク識別子を受信することにより、ネットワークデバイスは、第1のアクセスネットワーク識別子に従って直接UEにリソースを割り当てることができ、UEは、ネットワークデバイスにアクセスするためにプリアンブルシーケンスソリューションを実行する必要がない。したがって、UEによってネットワークデバイスにアクセスするために使用されるリソースは減少し、シグナリングオーバーヘッドは減少する。
【０３５９】
当業者であれば、方法の実施形態のステップの全て又は一部が、関連するハードウェアを指示するプログラムによって実施されてもよいことを理解することができる。プログラムは、コンピュータ可読記憶媒体に格納されてもよい。プログラムが走行すると、方法の実施形態のステップが実行される。前述の記憶媒体には、ROM、RAM、磁気ディスク又は光ディスクのようなプログラムコードを格納可能な任意の媒体が含まれる。
【０３６０】
最後に、前述の実施形態は、本発明の技術的解決方法を説明するためのものに過ぎず、本発明を限定するものではないことに留意すべきである。本発明は、前述の実施形態を参照して詳細に説明されているが、当業者であれば、本発明の実施形態の技術的解決方法の範囲から逸脱することなく、前述の実施形態に説明された技術的解決方法をさらに改変したり、その一部又は全部の技術的特徴を等価のものと置き換えたりすることができることを理解されたい。
【符号の説明】
【０３６１】
101  受信機
900  ネットワークデバイス
901  受信モジュール
902  割当てモジュール
903  送信モジュール
1001  送信モジュール
1002  受信モジュール
1100  ネットワークデバイス
1101  受信機
1102  プロセッサ
1103  送信機
1201  受信機
1202  プロセッサ
1203  送信機
【図１】
0006487541.tif 000002
【図２】
0006487541.tif 000003
【図３】
0006487541.tif 000004
【図４】
0006487541.tif 000005
【図５】
0006487541.tif 000006
【図６】
0006487541.tif 000007
【図７】
0006487541.tif 000008
【図８】
0006487541.tif 000009
【図９】
0006487541.tif 000010
【図１０】
0006487541.tif 000011
【図１１】
0006487541.tif 000012
【図１２】
0006487541.tif 000013